(57)【特許請求の範囲】
【請求項１】
（ａ）基板と、
（ｂ）前記基板の表面から延在する１つまたは複数のピラーとを含むナノセンサであって、
前記ピラーの各々が、
ｉ．当該ピラーの上部の金属ディスクと、
ｉｉ．当該ピラーの底部の金属バックプレーンであって、当該ピラーの底部付近の前記基板表面の大部分を覆う金属バックプレーンと、
ｉｉｉ．当該ピラーの側壁上の金属ドット構造と、
ｉｖ．前記金属ドット構造、前記金属ディスク、前記金属バックプレーン、又は前記ピラーの側壁の一部に、分子接着層を介して連結し、分析物に特異的に結合する捕捉剤を含み、
前記分析物が前記捕捉剤に結合すると、前記分析物からの光シグナルを増幅する、ナノセンサ。
【請求項２】
前記分子接着層の外表面が、アミン反応性基、チオール反応性基、ヒドロキシル反応性基、イミダゾリル反応性基およびグアニジニル反応性基から選択される捕捉剤反応性基を含む、請求項１に記載のナノセンサ。
【請求項３】
前記捕捉剤反応性基が、Ｎ−ヒドロキシスクシンイミジルエステル、スルホ−Ｎ−ヒドロキシスクシンイミジルエステル、ハロ置換フェノールエステル、ペンタフルオロフェノールエステル、ニトロ置換フェノールエステル、酸無水物、イソシアナート、イソチオシアナート、イミドエステル、マレイミド、ヨードアセチル、ヒドラジド、アルデヒド、またはエポキシドである、請求項２に記載のナノセンサ。
【請求項４】
前記分子接着層が、金属−硫黄結合を介して前記金属ドット構造、前記金属ディスク、および／または前記金属バックプレーンに結合する、請求項１から３のいずれか一項に記載のナノセンサ。
【請求項５】
前記分子接着層が０．５ｎｍ〜５０ｎｍの厚さを有する、請求項１から４のいずれか一項に記載のナノセンサ。
【請求項６】
前記分子接着層がアルカンチオールまたはチオ−ポリ（エチレン）グリコールの単層である、請求項１から５のいずれか一項に記載のナノセンサ。
【請求項７】
前記分子接着層が、ストレプトアビジン／ビオチン相互作用を介して前記金属ドット構造、前記金属ディスク、および／または前記金属バックプレーンに結合する、請求項１から６のいずれか一項に記載のナノセンサ。
【請求項８】
前記分子接着層の外表面がビオチン部分またはストレプトアビジンを含む、請求項１から７のいずれか一項に記載のナノセンサ。
【請求項９】
前記金属ドット構造、前記金属ディスク、および／または前記金属バックプレーンの外表面が、ビオチン化された捕捉剤に結合し得るストレプトアビジン基を含む、請求項１から８のいずれか一項に記載のナノセンサ。
【請求項１０】
前記金属ドット構造、前記金属ディスク、および／または前記金属バックプレーンの外表面が、ストレプトアビジンにつながれた捕捉剤に結合し得るビオチン部分を含む、請求項１から９のいずれか一項に記載のナノセンサ。
【請求項１１】
前記ナノセンサが容器内に配設されている、請求項１から１０のいずれか一項に記載のナノセンサ。
【請求項１２】
前記分子接着層が自己集合化単層（ＳＡＭ）であり、前記ＳＡＭの各分子が次の３つの部分：（ｉ）ナノデバイスの金属表面に対する特異的親和性を有する頭部基、（ｉｉ）捕捉剤に対する特異的親和性を有する末端基、及び（ｉｉｉ）前記頭部基と前記末端基をつなぐリンカーを含み、前記リンカーの長さが前記金属表面間の平均間隔を決定し、結合した捕捉剤がナノデバイスの光増幅に影響を及ぼし得る、請求項１から１１のいずれか一項に記載のナノセンサ。
【請求項１３】
前記金属が、金、銀、銅、アルミニウム、それらの合金、およびそれらの組み合わせからなる群より選択される、請求項１から１２のいずれか一項に記載のナノセンサ。
【請求項１４】
前記ピラーの上部が、円形、多角形、錐体、楕円形、細長い棒状、またはそれらの任意の組み合わせからなる形状の群より選択される形状を有する、請求項１から１３のいずれか一項に記載のナノセンサ。
【請求項１５】
前記金属ディスクの側方寸法が５ｎｍ〜１５０ｎｍの範囲である、請求項１から１４のいずれか一項に記載のナノセンサ。
【請求項１６】
前記金属ディスクと前記金属バックプレーンが、０．１ｎｍ〜６０ｎｍの範囲の距離で離間している、請求項１から１５のいずれか一項に記載のナノセンサ。
【請求項１７】
前記少なくとも１つの金属ドット構造が１ｎｍ〜２５ｎｍの範囲の寸法を有する、請求項１から１６のいずれか一項に記載のナノセンサ。
【請求項１８】
前記金属ドット構造と前記金属ディスクとの距離、および金属ドット構造と前記金属バックプレーンとの距離が、０．５ｎｍ〜５０ｎｍの範囲である、請求項１から１７のいずれか一項に記載のナノセンサ。
【請求項１９】
前記複数のピラーの最も近い２つのピラーの間の間隔が、２ｎｍ〜２００ｎｍの範囲である、請求項１から１８のいずれか一項に記載のナノセンサ。
【請求項２０】
前記ピラーが、円柱状、傾斜状、または曲線状の側壁表面を有する、請求項１から１９のいずれか一項に記載のナノセンサ。
【請求項２１】
前記金属ディスクおよび金属バックプレーンの厚さが５ｎｍ〜６０ｎｍである、請求項１から２０のいずれか一項に記載のナノセンサ。
【請求項２２】
前記ピラーが、前記光の波長よりも小さい側方寸法または高さを有する、請求項１から２１のいずれか一項に記載のナノセンサ。
【請求項２３】
前記金属ディスクが、前記ピラーと実質的に同じ側方幾何学的配置を有する、請求項１から２２のいずれか一項に記載のナノセンサ。
【請求項２４】
前記ピラーが、ポリマー、二酸化ケイ素、窒化ケイ素、酸化ハフニウム、酸化アルミニウム、ケイ素、砒化ガリウム、および窒化ガリウムからなる群より選択される誘電体または半導体材料を含む、請求項１から２３のいずれか一項に記載のナノセンサ。
【請求項２５】
前記金属ディスクの側方寸法が前記光の波長よりも小さい、請求項１から２４のいずれか一項に記載のナノセンサ。
【請求項２６】
前記光シグナルがルミネセンスまたは蛍光である、請求項１から２５のいずれか一項に記載のナノセンサ。
【請求項２７】
前記捕捉剤が蛋白質である、請求項１から２６のいずれか一項に記載のナノセンサ。
【請求項２８】
前記捕捉剤が抗体である、請求項２７に記載のナノセンサ。
【請求項２９】
前記捕捉剤が核酸である、請求項１から２６のいずれか一項に記載のナノセンサ。
【請求項３０】
前記捕捉剤がオリゴヌクレオチドである、請求項２９に記載のナノセンサ。
【請求項３１】
前記捕捉剤に特異的に結合する標識された分析物を更に含む、請求項１から３０のいずれか一項に記載のナノセンサ。
【請求項３２】
前記標識された分析物が発光標識で直接的または間接的に標識される、請求項３１に記載のナノセンサ。
【請求項３３】
前記標識された分析物が、ストレプトアビジン／ビオチン相互作用を介して前記発光標識に結合する、請求項３２に記載のナノセンサ。
【請求項３４】
前記分子接着層の厚さが、前記光シグナルの増幅を最適化するように選択される、請求項１から３３のいずれか一項に記載のナノセンサ。
【請求項３５】
マルチウェル形式であり、マルチウェルプレートの各ウェルが請求項１から３４のいずれか一項に記載のナノセンサを含み、前記ウェルそれぞれのナノセンサが異なる捕捉剤を含む、マルチウェル形式のナノセンサ。
【請求項３６】
（ａ）請求項１から３５のいずれか一項に記載のナノセンサと、
（ｂ）前記ナノセンサのためのホルダーと、
（ｃ）標識からの光シグナルを誘導する励起源と、
（ｄ）前記光シグナルを読み取るように適合されたリーダとを含むシステム。
【請求項３７】
前記励起源が光源である、請求項３６に記載のシステム。
【請求項３８】
前記励起源が電流である、請求項３６に記載のシステム。
【請求項３９】
前記リーダが、前記ナノセンサの表面の二次元スペクトルマップを生成し得る、光検出器、ＣＣＤカメラ、ＣＭＯＳカメラ、分光計、または光センサである、請求項３６から３８のいずれか一項に記載のシステム。
【請求項４０】
前記ナノセンサがマルチウェル形式であり、リーダが前記ウェルそれぞれからの光シグナルを独立して読み取り得るように前記ホルダーおよび／または前記リーダが移動し得る、請求項３６から３９のいずれか一項に記載のシステム。
【請求項４１】
分析物を検出および／または定量化する方法であって、
（ａ）標的分析物を含む試料を請求項１から３５のいずれか一項に記載のナノセンサに接触させる工程であって、前記標的分析物が前記捕捉剤に特異的に結合し、前記接触が前記結合に適した条件下で実施される工程、および
（ｂ）前記ナノセンサに結合された任意の標的分析物からの光シグナルを読み取る工程を含み、
前記標的分析物が前記捕捉剤に結合する前または結合した後に、前記標的分析物を発光標識で標識することを更に含む、方法。
【請求項４２】
前記読み取りが、光、電気、化学剤またはそれらの組み合わせを用いて前記発光標識を励起すること、及び、強度、波長、および位置から選択される前記光シグナルの少なくとも１つの特性を測定することを利用する、請求項４１に記載の方法。
【請求項４３】
前記分析物が、前記ナノセンサの前記捕捉剤に結合した後に標識される、請求項４１または４２に記載の方法。
【請求項４４】
前記標識が、前記標的分析物に特異的に結合し、かつ発光標識に連結された検出剤に前記標的分析物が結合することにより実施される、請求項４１から４３のいずれか一項に記載の方法。
【請求項４５】
前記発光標識が前記捕捉剤に結合した後に前記発光標識を標識することを含み、前記読み取りの前に前記ナノセンサから任意の未結合の発光標識を除去することを更に含む、請求項４１から４４のいずれか一項に記載の方法。
【請求項４６】
前記検出剤が発光標識を含む二次抗体である、請求項４４または４５に記載の方法。
【請求項４７】
前記検出剤が発光標識を含む核酸である、請求項４４または４５に記載の方法。
【請求項４８】
前記発光標識が、蛍光標識、化学ルミネセンス標識またはエレクトロルミネセンス標識である、請求項４１から４７のいずれか一項に記載の方法。
【請求項４９】
前記発光標識が、ＩＲＤｙｅ８００ＣＷ、Ａｌｅｘａ７９０またはＤｙｌｉｇｈｔ８００で標識される、請求項４８に記載の方法。
【請求項５０】
前記標識が３００ｎｍ〜１２００ｎｍの範囲の波長で発光する、請求項４１から４９のいずれか一項に記載の方法。
【請求項５１】
前記接触工程（ａ）の前に前記ナノセンサをブロッキングし、それにより前記捕捉剤の非標的分析物への非特異的結合を防ぐことを含む、請求項４１から５０のいずれか一項に記載の方法。
【請求項５２】
前記試料が液体試料である、請求項４１から５１のいずれか一項に記載の方法。
【請求項５３】
前記試料が臨床試料である、請求項４１から５２のいずれか一項に記載の方法。
【請求項５４】
前記試料が体液に由来する、請求項４１から５３のいずれか一項に記載の方法。
【請求項５５】
前記分析物が蛋白質である、請求項４１から５４のいずれか一項に記載の方法。
【請求項５６】
前記捕捉剤および前記分析物が核酸である、請求項４１から５４のいずれか一項に記載の方法。
【請求項５７】
前記分析物が癌のバイオマーカである、請求項４１から５６のいずれか一項に記載の方法。
【請求項５８】
前記分析物が神経疾患のバイオマーカである、請求項４１から５６のいずれか一項に記載の方法。
【請求項５９】
前記分析物が心臓血管疾患のバイオマーカである、請求項４１から５６のいずれか一項に記載の方法。
【請求項６０】
前記分析物が器質性疾患のバイオマーカである、請求項４１から５６のいずれか一項に記載の方法。
【請求項６１】
前記分析物が、感染性疾患または寄生虫疾患のバイオマーカである、請求項４１から５６のいずれか一項に記載の方法。
【請求項６２】
請求項１に記載の前記ナノセンサを製造する方法であって、
（ａ）基板の上部表面で少なくとも１つのピラーをパターン化する工程、
（ｂ）前記上部表面の金属材料層を析出させる工程、
（ｃ）前記ピラーの上部に析出した前記金属材料にディスクを形成させる工程であって、前記ピラーの底部に析出した前記金属材料に金属バックプレーンを形成させ、前記側壁に析出した前記金属材料に少なくとも１つの金属ドット構造を形成させる工程、
（ｄ）前記析出させた金属材料の上部に分子接着層を被覆させる工程であって、前記分子接着層が前記金属ドット構造、前記金属ディスク、および／または前記金属バックプレーンの少なくとも一部を覆い、前記分子接着層の外表面が捕捉剤反応性基を有する工程、及び、
（ｅ）捕捉剤を前記分子接着層に結合させることを含む、方法。
【請求項６３】
前記パターン化が材料のエンボス化である、請求項６２に記載の方法。
【請求項６４】
疾患または状態を診断するためにバイオマーカーを検出または定量化する方法であって、
（ａ）疾患または状態を有することが疑われる患者からの液体試料を請求項１に記載のナノセンサと接触させる工程であって、前記ナノセンサの前記捕捉剤が前記疾患のバイオマーカと特異的に結合し、前記接触が、前記バイオマーカと前記捕捉剤との特異的結合に適した条件下で実施される工程、
（ｂ）前記捕捉剤に結合していない任意のバイオマーカを除去する工程、および
（ｃ）前記ナノセンサに結合されたままのバイオマーカから光シグナルを読み取る工程を含み、
前記バイオマーカが前記捕捉剤に結合する前または結合した後に、前記バイオマーカを発光標識で標識することを更に含む、方法。
【請求項６５】
前記患者が癌を有していると疑われ、前記抗体が癌のバイオマーカに結合する、請求項６４に記載の方法。
【請求項６６】
前記患者が神経障害を有していると疑われ、前記抗体が前記神経障害のバイオマーカに結合する、請求項６４に記載の方法。
【請求項６７】
前記液体試料が、羊水、房水、硝子体液、全血、血液画分、血漿、血清、母乳、脳髄液（ＣＳＦ）、耳垢（耳糞）、乳び、消化粥（ｃｈｉｍｅ）、内リンパ、外リンパ、便、胃酸、胃液、リンパ、粘液（鼻漏および痰を含む）、囲心腔液、腹腔液、胸膜液、膿、粘膜分泌液、唾液、皮脂（皮膚の油）、精液、喀出物、汗、滑液、涙液、嘔吐物、尿または呼気凝縮液を含む、請求項６４から６６のいずれか一項に記載の方法。
【請求項６８】
疾患のステージに相関する化学化合物または生体分子を検出または定量化するための請求項１から３５のいずれか一項に記載のナノセンサの使用。
【請求項６９】
前記疾患が、癌、心臓疾患、肺疾患、腎臓疾患、または精神障害である、請求項６８に記載の使用。
【請求項７０】
微生物を検出または定量化するための請求項１から３５のいずれか一項に記載のナノセンサの使用。
【請求項７１】
前記微生物が、環境または臨床試料由来のウイルス、真菌または細菌である、請求項７０に記載の使用。
【請求項７２】
食品安全性または国家保安への脅威を有する化学化合物または生物学的物質を検出または定量化するための請求項１から３５のいずれか一項に記載のナノセンサの使用。
【請求項７３】
前記化学化合物または生物学的物質が、有毒廃棄物または炭疽である、請求項７２に記載の使用。
【請求項７４】
医学的または生理学的モニタにおけるバイタルパラメータを定量化するための請求項１から３５のいずれか一項に記載のナノセンサの使用。
【請求項７５】
前記バイタルパラメータが、グルコース、血中酸素レベル、または総血球数である、請求項７４に記載の使用。
【請求項７６】
生体試料由来の特異的ＤＮＡもしくはＲＮＡの検出または定量化のための請求項１から３５のいずれか一項に記載のナノセンサの使用。
【請求項７７】
染色体またはミトコンドリア内のＤＮＡの遺伝子配列の配列決定及び比較のための請求項１から３５のいずれか一項に記載のナノセンサの使用。
【発明の詳細な説明】
【技術分野】
【０００１】
相互参照
本願は、全ての目的のために参照により本明細書に組み入れられる２０１２年４月１０日出願の米国仮特許出願第６１／６２２，２２６号の利益を主張するものである。
【０００２】
連邦政府資金による研究開発の記載
本発明は、米国防総省高等研究計画局（ＤＡＲＰＡ）により与えられた助成金番号ＦＡ９５５０−０８−１−０２２２の下で米国政府資金の提供を受けてなされた。米国政府は、本発明においてある特定の権利を有する。
【背景技術】
【０００３】
背景
生物学的および化学的アッセイのルミネセンスシグナル（例えば、蛍光シグナル）および検出感度を増大させる必要性が高まっている。本願は、マイクロ／ナノ構造および分子層に関し、増大（即ち、ルミネセンスの増幅および検出感度の改善）、それらの作製および適用を実現する方法に関する。
【発明の概要】
【０００４】
概要
本開示は、数ある中で、基板と、基板の表面から延在する１つまたは複数のピラーを含み、ピラーの側壁の金属ドット構造と、ピラーの上面の金属ディスクと、ピラーの底面付近のかなりの（有意な）エリアを覆う金属バックプレーンと、を有するナノセンサを提供する。ナノセンサは、金属ドット構造、および／または金属ディスク、および／または金属バックプレーンの少なくとも一部を覆い、捕捉剤に結合する、分子接着層を更に含む。ナノセンサは、標的となる分析物（例えば、蛋白質または核酸であり得る分子）を特異的に捕捉する捕捉剤でコーティングされている。分析物は、場合により直接的または間接的に標識され得る。間接的標識において、光学標識を有する二次捕捉剤（即ち、標識された検出剤）を結合に用い、こうして捕捉された分析物の存在を同定する。分析物が捕捉剤に結合すると、ナノセンサが分析物からの光シグナルを増幅させる。
【０００５】
当業者には、以下に記載される図面が例示目的に過ぎないことが、理解されるであろう。図面は、本発明の技術範囲を限定することを決して意図するものではない。図面の一部は、均等倍率で描かれていない。
【図面の簡単な説明】
【０００６】
【図１】パネルＡおよびＢは、標題のナノデバイスの実施形態のいくつかの特徴を示す略図である。パネルＣは、標題のナノデバイスを製造し得る一方法を示す略図である。
【図２】例示的システムを示す略図である。
【図３】例示的な自己集合化単層を示す略図である。
【図４】例示的な抗体検出アッセイを示す略図である。
【図５】例示的な核酸検出アッセイを示す略図である。
【図６】別の実施形態の核酸検出アッセイを示す略図である。
【図７】ディスク・カップルド・ドット・オン・ピラー・アンテナアレイ（Ｄ２ＰＡ）プレートおよびイムノアッセイ。（ａ）イムノアッセイを含まないＤ２ＰＡプレートの略図（全体像および断面図）。Ｄ２ＰＡは、内側に高密なプラズモンナノドットを備えた高密な三次元（３Ｄ）共鳴空洞ナノアンテナ（周期的な非金属ピラーの上部の金のディスク、およびピラー底部の金のバックプレーンにより形成される）のアレイを有し、ナノギャップを介して金属構成要素に連結している。（ｂ）接着層の自己集合化単層（ＳＡＭ）と、プロテインＡ（捕捉層として）と、ＩＲＤｙｅ８００ＣＷが予め標識されたヒトＩｇＧ（予め標識されたバイオマーカとして）と、からなる、Ｄ２ＰＡ上のイムノアッセイの略図。（ｃ）２００ｎｍ周期のＤ２ＰＡの走査電子顕微鏡像（ＳＥＭ）（全体像および断面図）。シリカナノピラーの側壁に残留する金ナノドットが、明瞭に観察される。
【図８】イムノアッセイ物質が結合している（青色線）、または結合していない（赤色線）Ｄ２ＰＡの測定された吸収スペクトル。ピーク吸光度は、イムノアッセイ物質の存在下または非存在下で、それぞれ９８％および９７％であり、ピーク共鳴幅は、それぞれ１６５ｎｍおよび１４５ｎｍである。イムノアッセイ物質の結合により、吸収ピークが７９５ｎｍから７８８ｎｍにわずかに青色移動し、吸収波長の範囲が広がった。
【図９】それぞれＤ２ＰＡ（赤色線）およびガラスプレート（青色線、１０００倍増幅させると、所定の倍率で目視できる）でのアッセイにより捕捉されたＩＲＤｙｅ８００ＣＷ標識ヒトＩｇＧの測定エリア平均蛍光強度スペクトル。ガラスプレート上のアッセイと比較すると、平均蛍光増大（破線）は、蛍光のピーク波長（８００ｎｍ）では７，４４０倍であり、ＦＷＨＭ蛍光の平均では７，２２０倍である。プラズモン蛍光増大係数（ＥＦ）スペクトルは、蛍光スペクトルよりもかなり広いＦＷＨＭを有し、観察されたＤ２ＰＡプラズモン共鳴スペクトルと一致している（図５）。
【図１０】広い領域で測定された蛍光増大量の均一性。（ａ）Ｄ２ＰＡの合計５ｍｍ×５ｍｍのエリアで測定されたイムノアッセイ蛍光増大（係数）マップ。このマップは、１００μｍ×１００μｍの各タイルエリア（即ち、レーザプローブエリア）および１００μｍのステップ・アンド・リピート距離を利用することにより測定された合計２，５００タイル（５０×５０）を有する。（ｂ）測定された増大係数の対応するヒストグラムは、ガウス分布偏差±９％を示す。
【図１１】プロテインＡおよびＩｇＧのモデル直接アッセイ。Ｄ２ＰＡ（四角）およびガラスプレート参照（丸）での蛍光強度対ＩｇＧ濃度。四角および丸は、測定されたデータであり、曲線は、測定データの間にデータポイントを外挿させた５パラメータロジスティック回帰モデルを用いたフィッティングであった。Ｄ２ＰＡおよびガラスプレートの検出限界（ＬｏＤ）は、それぞれ０．３ｆＭおよび０．９ｎＭと見出され、３，０００，０００倍のＬｏＤ増大を示している。接着層の自己集合化単層（ＳＡＭ）と、プロテインＡ（捕捉層として）と、ＩＲＤｙｅ８００ＣＷが予め標識されたヒトＩｇＧ（予め標識されたバイオマーカとして）と、からなる、Ｄ２ＰＡ上でのイムノアッセイの略図。
【図１２】Ｄ２ＰＡプレート上のＩＲＤｙｅ８００ＣＷ標識ＩｇＧの単一分子蛍光。（ａ）ＩｇＧ濃度１０−１０ＭでのＤ２ＰＡプレート上のプロテインＡ／ＩｇＧイムノアッセイの５０μｍ×５０μｍエリアの２Ｄ蛍光画像。明白な「輝点」が目視できる。そして（ｂ）単一輝点の蛍光対時間。二段階的な挙動から、蛍光がＤ２ＰＡのホットスポット（電場の大きな位置）に配置された単一染料分子のものであることが示される。ガラス参照上のイムノアッセイと比較すると、ホットスポットの単一分子蛍光は、４×１０６倍増大している。
【図１３】Ｄ２ＰＡプレート上のＰＳＡイムノアッセイ。ＬｏＤを計算するために、実験データを５パラメータロジスティックモデルを用いてフィッティングした（実線の曲線）。ＬｏＤ約１０ａＭが、Ｄ２ＰＡで実現された。ＬｏＤが０．９ｐＭであったガラスプレートに比較すると、Ｄ２ＰＡの感度は、９０，０００倍良好である（Ｃｈｏｕの研究グループが発表予定）。
【図１４】Ｄ２ＰＡプレート上のＣＥＡイムノアッセイ。同様の構成が、ＰＳＡイムノアッセイとして用いられている。これまでの仮の試験で本発明者らは、ＬｏＤ約２８ａＭを実現できた。シグナル対雑音比を上昇させることができれば、より良好な感度（より低いＬｏＤ）が予測される（Ｃｈｏｕの研究グループが発表予定）。
【図１５】Ｄ２ＰＡプレート上のＣＡ１５．３イムノアッセイ。同様の構成が、ＰＳＡイムノアッセイとして用いられている。これまでの仮の試験では、本発明者らは、ＬｏＤ約０．０１Ｕ／ｍＬを実現できた。シグナル対雑音比を上昇させることができれば、より良好な感度（より低いＬｏＤ）が予測される（Ｃｈｏｕの研究グループが発表予定）。
【図１６】添加濃度と観察濃度の間の相関を示す２つのグラフである。
【図１７】２種の抗体の間の交叉反応性を示す２つのグラフである。
【図１８】結果の再現性を示す２つのグラフである。
【図１９】ＤＮＡハイブリダイゼーションアッセイの結果、およびその略図を示す。
【図２０】一連の走査電子顕微鏡像を示す。
【図２１】別の実施形態を略図で示す。
【発明を実施するための形態】
【０００７】
対応する参照数字は、図面の複数の図を通して対応する部分を示す。図面が本開示を説明する概念の例示であり、均等倍率で描かれていないことを、理解すべきである。
【０００８】
本発明の任意の実施形態が詳細に説明される前に、本発明が以下の説明に示された、または図面に例示された構成要素の構造および配置の詳細への適用に限定されないことが、理解されなければならない。
【０００９】
定義
例示的実施形態をより詳細に記載する前に、以下の定義を説明して、詳細な説明で用いられる用語の意味および範囲を例示および定義する。
【００１０】
用語「分子接着層」は、ナノデバイスに結合されている内表面と、捕捉剤に結合され得る外部（外）表面と、を含む定義された厚さの分子単層または多層を指す。
【００１１】
用語「捕捉剤反応性基」は、捕捉剤と反応性がある、即ち捕捉剤中の部分（例えば、ヒドロキシル、スルフヒドリル、カルボキシまたはアミン基）と反応して、安定した強力な、例えば共有結合を生成し得る分子中の化学的機能の部分を指す。
【００１２】
本明細書で用いられる用語「捕捉剤」は、標的分析物に結合する薬剤であって、該薬剤が異なる分子の不均質混合物の標的分子に結合し、濃縮させるのに十分な相互作用を通して、結合する薬剤を指す。結合相互作用は、典型的には捕捉剤の親和性領域により媒介される。典型的な捕捉剤は、標的分析物に特異的に結合し得る任意の部分を含む。ある特定の捕捉剤は、他の分子に有意に結合せずに、約１０−６Ｍ未満（例えば、約１０−７Ｍ未満、約１０−８Ｍ未満、約１０−９Ｍ未満、約１０−１０Ｍ未満、約１０−１１Ｍ未満、約１０−１２Ｍ未満、約１０−１６Ｍもの低濃度まで）の解離定数（ＫＤ）で標的分子に特異的に結合する。例示的捕捉剤としては、蛋白質（例えば、抗体）、および核酸（例えば、アプタマーを含むオリゴヌクレオチド、ＤＮＡ、ＲＮＡ）が挙げられる。
【００１３】
用語「特異的結合」および「選択的結合」は、異なる標的分子の不均質混合物中に存在する特定の標的分子に優先的に結合する捕捉剤の能力を指す。特異的または選択的結合相互作用により、試料中の所望の（例えば、活性のある）標的分子と望ましくない（例えば、不活性の）標的分子とを、典型的には約１０〜約１００倍、またはそれを超える差で（例えば、約１０００または１０，０００倍を超える差で）識別する。
【００１４】
用語「蛋白質」は、任意の長さ、即ち２アミノ酸を超える、約５アミノ酸を超える、約１０アミノ酸を超える、約２０アミノ酸を超える、約５０アミノ酸を超える、約１００アミノ酸を超える、約２００アミノ酸を超える、約５００アミノ酸を超える、約１０００アミノ酸を超える、約２０００アミノ酸を超えるが、通常は約１０，０００アミノ酸を超えない長さのアミノ酸のポリマー形態を指し、コード化および非コード化アミノ酸、化学的または生化学的に修飾または誘導されたアミノ酸、ならびに修飾されたペプチドバックボーンを有するポリペプチドを包含し得る。該用語は、非限定的に、異種のアミノ酸配列を有する融合蛋白質、Ｎ−末端メチオニン残基を有するまたは有さない異種および同種のリーダ配列を有する融合体；免疫学的にタグを付けた蛋白質；検出可能な融合パートナーを有する融合蛋白質、例えば融合パートナーとして蛍光蛋白質、β−ガラクトシダーゼ、ルシフェラーゼなどを含む融合蛋白質などを包含する。細胞内で翻訳後修飾された、例えばグリコシル化、開裂、分泌、プレニル化、カルボキシル化、リン酸化などを受けたポリペプチド、および二次または三次構造を有するポリペプチド、および他の部分、例えば他のポリペプチド、原子、補因子などに強力に結合された、例えば共有または非共有結合されたポリペプチドも、これらの用語に包含される。
【００１５】
用語「抗体」は、抗原結合が可能な一本鎖抗体およびファージディスプレイ抗体をはじめとする、免疫グロブリンまたはその任意のフラグメントを指すものとする。
【００１６】
用語「核酸」および「ポリヌクレオチド」は、ヌクレオチド、例えばデオキシリボヌクレオチドもしくはリボヌクレオチドで構成された任意の長さのポリマー、または例えばワトソン・クリック塩基対合相互作用に関与し得る、２つの天然由来核酸と類似の配列特異的様式で天然由来核酸とハイブリダイズし得る合成された化合物（例えば、米国特許第５，９４８，９０２号および本明細書に引用された参考資料に記載されたＰＮＡ）を説明するために本明細書で互換的に用いられる。
【００１７】
本明細書で用いられる用語「相補的」は、水素結合により目的の標的核酸に塩基対合するヌクレオチド配列を指す。標準的なワトソン・クリック塩基対合では、ＤＮＡにおいて、グアニン（Ｇ）がシトシン（Ｃ）と塩基対を形成するように、アデニン（Ａ）はチミン（Ｔ）と塩基対を形成する。ＲＮＡでは、チミンがウラシル（Ｕ）に置き換えられる。そのためＡは、Ｔに相補的であり、ＧはＣに相補的である。典型的には「相補的」は、該配列内の各ヌクレオチドが対応する位置にある標的核酸内の各ヌクレオチドに相補的であるように、目的の標的に完全に相補的である、ヌクレオチド配列を指す。ヌクレオチド配列が、非標的配列に完全に相補的（１００％相補性）でないが、非標的配列へのある特定のひと続きのヌクレオチド配列の相補性により非標的配列に塩基対をなし得る場合、相補性％を計算して、非特異的（オフターゲット）結合の可能性を評価してもよい。一般に５０％以下の相補性は、非特異的結合をもたらさない。加えて、７０％以下の相補性は、ストリンジェントなハイブリダイゼーション条件下で、非特異的結合をもたらし得ない。
【００１８】
本明細書で用いられる用語「リボ核酸」および「ＲＮＡ」は、リボヌクレオチドで構成されたポリマーを意味する。
【００１９】
本明細書で用いられる用語「デオキシリボ核酸」および「ＤＮＡ」は、デオキシリボヌクレオチドで構成されたポリマーを意味する。
【００２０】
本明細書で用いられる用語「オリゴヌクレオチド」は、約１０〜２００ヌクレオチド長、そして３００ヌクレオチド長以下、またはそれより長い、例えば５００ヌクレオチド長以下、またはそれより長いヌクレオチド長の一本鎖ヌクレオチドマルチマーを示す。オリゴヌクレオチドは、合成されてもよく、ある特定の実施形態において、３００ヌクレオチド長未満である。
【００２１】
本明細書で用いられる用語「結合する」は、１つの分子の他の分子への強力な、例えば共有結合または非共有結合の結合連結を指す。
【００２２】
本明細書で用いられる用語「表面に結合された」は、表面に強力に結合された分子を指す。
【００２３】
本明細書で用いられる用語「試料」は、目的の１つ以上の分析物を含む材料または材料混合物に関する。特定の実施形態において、試料は、細胞、組織、体液および糞便などの生物学的試料から得られてもよい。目的の体液としては、非限定的に、羊水、房水、硝子体液、血液（例えば、全血、血液画分、血漿、血清など）、母乳、脳髄液（ＣＳＦ）、耳垢（耳糞）、乳び、消化粥（ｃｈｉｍｅ）、内リンパ、外リンパ、便、胃酸、胃液、リンパ、粘液（鼻漏および痰を含む）、囲心腔液、腹腔液、胸膜液、膿、粘膜分泌液、唾液、皮脂（皮膚の油）、精液、喀出物、汗、滑液、涙液、嘔吐物、尿および呼気凝縮液が挙げられる。特定の実施形態において、試料は、対象、例えばヒトから得てもよく、標題のアッセイにおいて用いる前に加工されてもよい。例えば分析の前に、公知の方法を利用して、蛋白質／核酸を組織試料から抽出した後、使用してもよい。特定の実施形態において、試料は、臨床試料、例えば患者から採取された試料であってもよい。
【００２４】
用語「分析物」は、捕捉剤により結合され、検出され得る分子（例えば、蛋白質、核酸、または他の分子）を指す。
【００２５】
用語「アッセイすること」は、試料を試験して分析物の存在および／または存在量を検出することを指す。
【００２６】
本明細書で用いられる用語「決定すること」、「測定すること」、「評価すること」および「アッセイすること」は、互換的に用いられ、定量的および定性的決定の両方を包含する。
【００２７】
本明細書で用いられる用語「発光標識」は、外部励起の下で光を発し得る標識を指す。これは、ルミネセンスであってもよい。蛍光標識（染色分子または量子ドットを含む）およびルミネセンス標識（例えば、エレクトロルミネセンスまたは化学ルミネセンス標識）は、発光標識の種類である。外部励起は、蛍光では光（フォトン）、エレクトロルミネセンスでは電流、および化学ルミネセンスでは化学反応である。外部励起は、上記のものの組み合わせであってもよい。
【００２８】
語句「標識された分析物」は、標識の存在を評価することにより検出され得るように、発光標識で検出可能に標識された分析物を指す。標識された分析物は直接標識されていてもよく（即ち、分析物そのものが例えば共有結合または非共有結合などの強力な結合を介して、標識に直接結合されていてもよく）、または標識された分析物は間接的に標識されていてもよい（即ち、分析物が、直接標識された二次捕捉剤に結合される）。
【００２９】
用語「ハイブリダイゼーション」は、ワトソン・クリック塩基対合を介した、核酸の相補的核酸への特異的結合を指す。したがって用語「ｉｎ  ｓｉｔｕハイブリダイゼーション」は、中期または間期染色体への核酸の特異的結合を指す。
【００３０】
核酸に関する用語「ハイブリダイズする」および「結合する」は、互換的に用いられる。
【００３１】
用語「捕捉剤／分析物複合体」は、捕捉剤と分析物との特異的結合から得られる複合体を指す。捕捉剤、およびその捕捉剤用の分析物は通常、捕捉剤と分析物の間で起こる結合を溶液中で可能にする条件である「特異的結合条件」または「特異的結合に適した条件」（塩濃度、ｐＨ、界面活性剤、蛋白質濃度、温度などに関する）の下、互いに特異的に結合する。特に抗体およびそれらの抗原、ならびに核酸ハイブリダイゼーションに関するそのような条件は、当該技術分野で周知である（例えば、Ｈａｒｌｏｗ  ａｎｄ  Ｌａｎｅ（Ａｎｔｉｂｏｄｉｅｓ：Ａ  Ｌａｂｏｒａｔｏｒｙ  Ｍａｎｕａｌ  Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ，Ｎ．Ｙ．（１９８９）、およびＡｕｓｕｂｅｌ，ｅｔ  ａｌ，Ｓｈｏｒｔ  Ｐｒｏｔｏｃｏｌｓ  ｉｎ  Ｍｏｌｅｃｕｌａｒ  Ｂｉｏｌｏｇｙ，５ｔｈ  ｅｄ．，Ｗｉｌｅｙ  ＆  Ｓｏｎｓ，２００２参照）。
【００３２】
本明細書で用いられる用語「特異的結合条件」は、互いに特異的に結合する分子の対を含む核酸二本鎖または蛋白質／蛋白質（例えば、抗体／抗原）複合体を生成し、その一方で互いに特異的に結合しない分子間の複合体形成には不利になる条件を指す。特異的結合条件は、ハイブリダイゼーションおよび洗浄条件の両方の合計または組み合わせ（全体性）であり、必要に応じて洗浄およびブロッキングステップを含んでいてもよい。
【００３３】
核酸ハイブリダイゼーションの場合、特異的結合条件は、５０％ホルムアミド、５×ＳＳＣ（１５０ｍＭ  ＮａＣｌ、１５ｍＭ  クエン酸三ナトリウム）、５０ｍＭリン酸ナトリウム（ｐＨ７．６）、５×デンハート液、１０％デキストラン硫酸、および２０μｇ／ｍｌ変性断片処理済みサケ精子ＤＮＡの溶液中、４２℃でインキュベーションし、続いて０．１×ＳＳＣ中、約６５℃でフィルタを洗浄することにより実現され得る。
【００３４】
抗体の抗原への結合の場合、特異的結合条件は、ブロッキング溶液（例えば、３％ＢＳＡまたは脱脂乳を含むＰＢＳ）中で抗体を含む基質をブロッキングし、続いて希釈されたブロッキング緩衝液中で分析物を含有する試料と共にインキュベートすることにより実現され得る。このインキュベーションの後、基質を洗浄溶液（例えば、ＰＢＳ＋ＴＷＥＥＮ２０）で洗浄して、二次捕捉抗体（抗原内の二次的部位を認識する検出抗体）と共にインキュベートする。二次捕捉抗体は、光学検出可能な標識、例えばＩＲＤｙｅ８００ＣＷ、Ａｌｅｘａ７９０、Ｄｙｌｉｇｈｔ８００などのフルオロフォアと結合されていてもよい。さらなる洗浄の後に、結合した二次捕捉抗体の存在が検出されてもよい。当業者は、検出シグナルを増加させてバックグランドノイズを減少させるように改良され得るパラメータに関して熟知しているであろう。
【００３５】
「検出剤」とも称され得る用語「二次捕捉剤」は、抗原に対する高い特異的親和力を有する生体分子または化学化合物の群を指す。二次捕捉剤は、光学検出可能な標識、例えば酵素、蛍光標識に強力につながることができ、またはバイオコンジュゲーションを通して光学検出可能な標識につながる別の検出剤によりそれ自体が検出され得る（Ｈｅｒｍａｎｓｏｎ，“Ｂｉｏｃｏｎｊｕｇａｔｅ  Ｔｅｃｈｎｉｑｕｅｓ”  Ａｃａｄｅｍｉｃ  Ｐｒｅｓｓ，２ｎｄ  Ｅｄ．，２００８）。
【００３６】
用語「ビオチン部分」は、ビオチンまたはビオチン類似体、例えばデスチオビオチン、オキシビオチン、２’−イミノビオチン、ジアミノビオチン、ビオチンスルホキシド、ビオシチンなどをはじめとする親和性薬剤を指す。ビオチン部分は、少なくとも１０−８Ｍの親和性でストレプトアビジンに結合する。ビオチン親和性薬剤は、リンカー、例えば−ＬＣ−ビオチン、−ＬＣ−ＬＣ−ビオチン、−ＳＬＣ−ビオチンまたは−ＰＥＧｎ−ビオチン（ここでｎは、３〜１２である）を含んでいてもよい。
【００３７】
用語「ストレプトアビジン」は、ストレプトアビジンおよびアビジンの両方に加え、高い親和力でビオチンに結合するそれらの任意の変異体を指す。
【００３８】
用語「マーカー」は、生物学的試料中の存在または存在量が疾患または状態と相関する分析物を指す。
【００３９】
用語「結合」は、水素結合、イオン結合、およびファンデルワールス力により生成される結合をはじめとする共有結合および非共有結合を含む。
【００４０】
用語「増幅する」は、シグナル規模の増加、例えばシグナルの少なくとも１０倍増加、少なくとも１００倍増加、少なくとも１０００倍増加、少なくとも１０，０００倍増加、または少なくとも１００，０００倍増加を指す。
【００４１】
他の特異的結合条件は、当該技術分野で公知であり、本明細書でも用いることができる。
【００４２】
本明細書および添付の特許請求の範囲で用いられる通り、単数形「ａ」、「ａｎ」、および「ｔｈｅ」は、他に明白に断りがある場合、例えば言語「単一の」が用いられている場合を除き、複数の指示対象を包含することに留意しなければならない。例えば「分析物」を参照する場合、単数の分析物および複数の分析物を包含し、「捕捉剤」を参照する場合、単数の捕捉剤および複数の捕捉剤を包含し、「検出剤」を参照する場合、単数の検出剤および複数の検出剤を包含する。
【００４３】
例示的実施形態の詳細な説明
以下の詳細な説明は、本発明のいくつかの実施形態を実施例により例示するものであり、限定するものではない。
【００４４】
図１Ａおよび１Ｂを参照すると、（ａ）基板１１０と；（ｂ）基板の表面から延在する１つまたは複数のピラー１１５と、を含むナノデバイス１００であって、ピラーの少なくとも１つが、ピラー本体１２０と、ピラーの上面の金属ディスク１３０と、ピラーの底面にあり、ピラーの底面付近の基板表面の大部分を覆う金属バックプレーン１５０と、ピラーの側壁に配設された金属ドット構造１４０と、金属ドット構造、および／または金属ディスク、および／または金属バックプレーンの少なくとも一部を覆う分子接着層１６０と、を含むナノデバイス１００が、本明細書に開示される。このデバイスの基礎構造は、「ディスク・カップルド・ドット・オン・ピラー・アンテナアレイ（Ｄ２ＰＡ）」とも称され、それらの実施例が記載されている（例えば、参照により組み入れられた、Ｌｉ  ｅｔ  ａｌ  Ｏｐｔｉｃｓ  Ｅｘｐｒｅｓｓ  ２０１１  １９，３９２５−３９３６および国際公開第２０１２／０２４００６号を参照されたい）。
【００４５】
分子接着層１６０の外表面は、捕捉剤反応性基、即ち、捕捉剤と化学的に反応し得る反応性基、例えばアミン反応性基、チオール反応性基、ヒドロキシル反応性基、イミダゾリル反応性基およびグアニジニル反応性基を含む。例示的目的で、分子接着層１６０は、金属ドット構造１４０の外表面、金属ディスク１３０、および金属バックプレーン１５０の全てを覆っている。しかし実用目的では、接着層１６０は、金属ドット構造１４０の外表面、金属ディスク１３０、または金属バックプレーン１５０の一部のみを必要とする。図示された通り、ある特定の例において、基板１１０は誘電体（例えば、ＳｉＯ２）で製造されていてもよいが、他の材料、例えばケイ素、ＧａＡｓ、ポリジメチルシロキサン（ＰＤＭＳ）、ポリ（メタクリル酸メチル）（ＰＭＭＡ）が用いられてもよい。同様に金属は、金、銀、プラチナ、パラジウム、鉛、鉄、チタン、ニッケル、銅、アルミニウム、それらの合金、またはそれらの組み合わせであってもよいが、材料のプラズマ周波数が光シグナルの周波数および光シグナルの生成に用いられる光の周波数よりも高いものであれば、他の材料が用いられてもよい。
【００４６】
ナノデバイス１００は、接着層の外表面付近の光シグナルを増幅させることを特徴とする。
【００４７】
いくつかの実施形態において、ピラーの部品の１つ以上の寸法、または２つの構成要素の間の距離が、増幅された光の波長よりも小さくてもよい。例えばピラー本体１２０の側部寸法、ピラー本体１２０の高さ、金属ディスク１３０の寸法、金属ドット構造１４０の間にある任意の空隙の間の距離、金属ドット構造１４０と金属ディスク１３０の間の距離は、増幅された光の波長よりも小さくてもよい。図１Ａに示す通り、ピラーは、アレイの形態で基板上に配列されていてもよい。特定の例において、アレイの最も近いピラーは、光の波長よりも短い距離で離れていてもよい。ピラーアレイは、周期的および非周期的であってもよい。
【００４８】
ナノデバイスは、容器、例えばマルチウェルプレートのウェル内に配設されていてもよい。ナノデバイスは、マルチウェルプレートのウェルの底または壁であってもよい。ナノデバイスは、マイクロ流体チャネル（１〜１０００マイクロメータのチャネル幅）またはナノ流体チャネル（１マイクロメータ未満のチャネル幅）の内側、またはそのようなチャネルの内壁の一部に配設されていてもよい。
【００４９】
以下により詳細に記載される通り（そして図１Ｃに例示される通り）、標題のナノデバイス１００は、基板１１０と、ピラー本体１２０、金属ディスク１３０、金属バックプレーン１５０、および金属ドット構造１４０を含む複数のピラーと、で本質的に構成された、いわゆる「ディスク・カップルド・ドット・オン・ピラー・アンテナアレイ」２００（即ち、Ｄ２ＰＡ）を、分子接着層１６０でコーティングすることにより作製されてもよい。詳細な説明として、標題のナノデバイス内で用いられ得る例示的なＤ２ＰＡの詳細は、全ての目的で参照により本開示に組み入れられる国際公開第２０１２／０２４００６号に示されている。
【００５０】
以下に示す説明の最初の部分は、基礎となるＤ２ＰＡ構造のある特定の特徴（即ち、基板、ピラー本体、金属ディスク、金属バックプレーン、および金属ドット構造）を説明している。以下に示す説明の第二の部分は、分子接着層、捕捉剤、および標題のナノデバイスが用いられ得るアッセイを説明している。
【００５１】
ディスク・カップルド・ドット・オン・ピラー・アンテナアレイ（Ｄ２ＰＡ）
ディスク・カップルド・ドット・オン・ピラー・アンテナアレイは、ピラー本体上のナノスケール金属ドットに連結された浮動する金属ディスクまたはナノディスクを備えた３Ｄプラズモン空洞アンテナを有する。詳細にはいくつかの実施形態において、Ｄ２ＰＡは、基板と、基板上のピラーアレイと、ピラーそれぞれの上部の金属ディスクまたはナノディスクと、ピラーの側壁にあるナノスケール金属ドットでありディスクと一部のドットの間および隣接するドットの間に空隙のあるドットと、ピラーに占有されていない基板エリアのほとんどを覆う金属バックプレーンと、を有する。
【００５２】
一実施形態において、ピラーアレイはＳｉＯ２から作製され、ケイ素から形成された基板上でピッチ２００ｎｍ、高さ１３０ｎｍ、および直径７０ｎｍを有する。金属バックプレーンは４０ｎｍ厚の金の層から形成されていて、法線方向に沿った電子ビーム蒸着を利用してピラーアレイ構造および基板上に被覆（析出）されていてもよい。その被覆（析出）工程により、各ＳｉＯ２ピラーの上部に金の金属ディスクが形成され、同時にケイ素基板の表面に金ナノホールの金属バックプレーンが形成される。各ディスクは、厚さ４０ｎｍおよび直径約１１０ｎｍを有する。蒸着工程の間に、約０．４Ａ／秒の析出速度で、金原子がＳｉＯ２ピラーの側壁に拡散され、１０ｎｍ〜３０ｎｍの微粒サイズのランダム粒子に集結して、ナノスケール金属ドットを形成する。
【００５３】
金ナノディスク、ランダム金ナノ粒子金属ドット、および底部金ナノホールプレート（バックプレーン）を備えた基板が、蒸着工程により形成される。ＳｉＯ２ピラーの側壁に分散されてナノスケール金属ドットを形成している金ナノ粒子は、それらの間に約０．５ｎｍ〜２０ｎｍの狭い空隙を有し、高度に増大された電場を誘導できる。本明細書で用いられる用語「空隙」は、２つの構造の間にある極小の空間、例えば２つのディスクの間の極小の空間、またはディスクと隣接するドット構造との間の空間として定義される。ドットの一部が別のドットと接触しても、他の位置の隣接する構造の間に存在する他の空隙のために、本発明の構造により実現される増大作用が依然として存在することも注目されなければならない。
【００５４】
Ｄ２ＰＡ構造は、プラズマ共鳴およびナノアンテナを通して光吸収を増大できる。該構造は、ディスクとナノドットの間のナノギャップおよびナノドットそのものの間のナノギャップ（１４０）を通して局所電場を増大でき、ディスクとバックプレーンの間に形成される垂直空洞（光のための）およびディスクアレイにより形成される側方空洞により支援される。
【００５５】
より詳細には、該構造は、ナノピラーのアレイを通して光吸収を増大でき、これらの構造を通して表面からの光シグナルの反射を増大できる。それは、ドットおよびバックプレーンを通してディスクにより形成されて光吸収を増大する、増大された垂直空洞光吸収作用を有し得る。それは、金属のバックプレーンを通して光吸収を増大する、側方空洞光吸収作用も有し得る。任意の特定のＤ２ＰＡ構造が、ピラーアレイ内の間隔、ピラーのサイズ、ディスクのサイズ、ドットのサイズ、および用いられる材料など、該構造の具体的構成に応じて、これらの機能の１つ、複数、または全てを有し得ることは、当業者に認識されよう。
【００５６】
該構造による光シグナルの増大は、該構造の形状の間のナノギャップからの増大、プラズモン共鳴からの増大、アンテナ吸収からの増大、アンテナ放射からの増大、垂直空洞からの増大、および側方空洞からの増大の結果生じるものである。Ｄ２ＰＡ構造の要素および機能は、異なる角度から見ることができる。ディスクならびにディスクと隣接する金属ドットとの間の空隙、およびドットそのものの間の空隙は、該構造によりもたらされる局所電場増大に影響を及ぼし得る。各ピラー本体上のドット位置およびドット数も、局所電場を増大し得る。各ピラーの直径およびキャッピングディスクの直径は、プラズモン共鳴周波数に影響を及ぼし得る。二酸化ケイ素ピラーの高さは、空洞の長さおよびナノギャップ数に影響を及ぼし得、ディスクと金バックプレーンとの連結にも影響を及ぼし得る。単位セルあたりのピラー数は有効面積に影響を及ぼし得、ピラーのアレイ内のピッチ（間隔）は、コヒーレント吸収および光放射に影響を及ぼし得る。金バックプレーンはアンテナおよび空隙に影響を及ぼし得、ピラーの形状は光に依存する吸収を決定し得る。
【００５７】
構造内では、複数の変数が、シグナルを増大するように「調整」されてもよい。例えばディスクの直径およびピラーの形状を変動させてプラズモン共鳴周波数を変化させてもよく、金属ドットは局所シグナル増大に影響を及ぼし、各ピラー本体のディスク−ドット間空隙、ドット位置、およびドット計数も同様であり；ピラーの高さは、共鳴空洞の長さおよび存在するナノギャップ数、ならびにディスクと金属バックプレーンの間の連結作用に影響を及ぼす。該構造表面の単位セルあたりのピラー総数は有効面積を画定し、ピラーの間隔（ピッチ）はコヒーレント吸収および光学エネルギーの放射に影響を及ぼす。最後に、金属バックプレーンの材料および厚さはアンテナおよび空洞の作用に関係する。本発明の範囲から逸脱せずに、これらの変数のそれぞれが本明細書に示された例示的実施形態から必要に応じて変化して所望の特徴を有する構造１００を実現すること、または「調整」により特定の増大を実現し得ることは、当業者に認識されよう。
【００５８】
該構造の様々な構成が予期される。例えばＤ２ＰＡの構造は、金属バックプレーンの下にＳｉＯ２の層を有して、ピラーを連続で形成できる。あるいはピラーがバックプレーン材料上に直接形成され、その一方でバックプレーン材料が基礎となる基板上のＳｉＯ２層の上に被覆されているように、Ｄ２ＰＡが穴のない金属バックプレーンを有していてもよい。
【００５９】
本開示のＤ２ＰＡ構造を構築する際、基礎となる基板の材料は、絶縁体、半導体、または誘電絶縁体であってもよい。基板は、モノリシックである必要はなく、絶縁体または半導体材料の上部層（ピラーの次の層）を含み、基板の残り部分が任意の固体材料で生成されている、積層構造であってもよい。
【００６０】
基板の上部層の上のピラー本体は、絶縁体材料から形成されてもよいが、半導体であってもよい。ピラーの形成のための例示的材料は、誘電体：二酸化ケイ素、窒化ケイ素、酸化ハフニウム（ＨｆＯ）、酸化アルミニウム（ＡｌＯ）または半導体：ケイ素、ＧａＡｓ、およびＧａＮである。いったん形成されると、ピラーは側壁を有していてもよく、側壁は円柱状（直線状）、傾斜状、曲線状、またはそれらの任意の組み合わせである。各ピラーの高さは、５ｎｍ〜７，０００ｎｍから選択されてもよく、各ピラーの側方寸法は、５ｎｍ〜８，０００ｎｍから選択されてもよい。ピラーの上部表面の形状は、円形、尖形（錐体）、多角形、楕円形、細長い棒状、多角形、他の類似形状またはそれらの組み合わせであってもよい。アレイ内のピラーの間の間隔は、周期的または非周期的であってもよい。いくつかの適用のためには、周期的であることが好ましく、その周期は、光吸収および放射を最大にするように選択されるが、光の波長に依存的である。アレイ内の隣接するピラーの間の間隔（ピッチ）は、４ｎｍ〜４０００ｎｍであってもよい。
【００６１】
各ピラーは、（ａ）金、銀、銅、アルミニウム、ニッケルなどの単一金属元素；（ｂ）多層の組み合わせおよび／もしくは単一金属の多層；（ｃ）金属合金；（ｄ）半導体；（ｅ）プラズモンを発生させる他の任意金属；または（ｆ）（ａ）、（ｂ）、（ｃ）、（ｄ）および（ｅ）の任意の組み合わせ、のいずれかから形成され得る金属ディスクが上部を覆っている。各ディスクの形状は、円形、尖形（錐体または円錐の形態など）、多角形、楕円形、細長い棒状、多角形、他の類似形状またはそれらの組み合わせであってもよい。各ディスクの形状は、その上にディスクが配設される連携するピラーの上部表面の形状と同一であっても、または異なっていてもよい。好ましくは各ディスクの側方寸法は４ｎｍ〜１５００ｎｍであり、ディスクの厚さは１ｎｍ〜５００ｎｍである。金属ディスクの直径は、支持しているピラーの直径よりも大きくても、または小さくてもよい。直径の差は、実行波長に応じて、０〜２００ｎｍの範囲で多様であってもよい。
【００６２】
金属ドットは、金属ディスクと金属バックプレーンの間で各ピラーの側壁に配設されており、ほぼ球形、円盤状、多角形、細長い形、他の形状、またはそれらの組み合わせの形状を有する。ピラー上の金属ドットは全てがほぼ同じ形状を有していてもよく、または個々に異なっていてもよい。金属ドットの寸法は、好ましくは３ｎｍ〜６００ｎｍであり、三次元で異なっていてもよい。ドットの厳密な寸法は、特異的な光シグナルに対して選択されてもよく、また作製の利便性およびドット間に付随する空隙の作製により調節されてもよい。
【００６３】
いくつかの実施形態において、近隣の金属ドット間の空隙およびディスクと隣接する金属ドットとの間の空隙は、０．５ｎｍ〜２００ｎｍである。多くの適用では、小さな空隙が、光シグナルを増大するのに好ましい。空隙は、ピラー上の各金属ドット間で変動してもよい。
【００６４】
該実施形態において、金属バックプレーンは、各ピラーのための穴を有する基板上で金属層を画定する。金属バックプレーンの厚さは、１ｎｍ〜２０００ｎｍから選択され、５０ｎｍ〜２００ｎｍの範囲の厚さが好ましい。金属バックプレーンの材料は、先に記載された金属ディスクを形成するのに用いられるのと同じ群から選択できるが、所与のＤ２ＰＡ構造の場合、金属バックプレーンは、ディスクの形成に用いられるのと同じ材料または異なる材料から形成できる。
【００６５】
Ｄ２ＰＡ構造の先の説明は、用いられ得るが排他的とはみなされない材料、形状、および寸法の範囲の例示である。他の材料、形状、および寸法が、所望の増大作用を実現するのに必要ならば用いられてもよい。各Ｄ２ＰＡ構造の厳密な材料、形状、および寸法は、増大される光吸収（波長、偏光）、増大される光再放射、および／または増大される局所電場により課される特定の要件により決定される。
【００６６】
Ｄ２ＰＡアレイは、以下の方法を利用して作製されてもよい。最初のステップは、基板にＳｉＯ２などのピラー材料の層を設けることである。次のステップは、リソグラフィックインプリント工程を用いて、ピラーのパターンを有する鋳型をピラー材料の層に被覆されたレジスト層にインプリントすることである。パターンをレジスト層にインプリントしてエッチマスクを生成した後、残りの材料をエッチング工程により除去して、レジスト層のピラー様構造のパターンを残留させる。エッチマスク材料、例えばクロム（Ｃｒ）または他の材料の層をその後、ピラー様構造のパターンに析出させて、残りのレジスト材料を除去し、ピラー材料の層に直接被覆されたＣｒのパターンを得る。レトロエッチングなどのドライエッチングまたはウェットエッチング工程による最後のエッチングステップで、ピラー材料の非保護部分を除去して、基板の表面に配設されたピラーのアレイを残留させる。任意の残されたエッチマスク材料（Ｃｒ）は、場合によりドライまたはウェットエッチング工程のいずれかにより除去され、金属バックプレーン材料、ディスク材料、および金属ドットは蒸着工程を利用して実質的に平行に構造上に析出させる。
【００６７】
様々なリソグラフィーステップが電子ビームリソグラフィー、イオンビームリソグラフィー、フォトリソグラフィー、またはナノインプリントリソグラフィーをはじめとする任意の様々な公知のリソグラフィー法を利用して、レジスト材料にパターンを形成し得ることを、当業者は認識するであろう。同様にエッチングマスク材料が金属誘電体または絶縁体であり得ることが、認識されよう。
【００６８】
エッチマスク材料は、リソグラフィーステップが実施される前、または実施された後に、レジスト層に析出させることができる。リフトオフ工程は、典型的には、エッチマスキング材料がリソグラフィーステップの後に被覆される場合に用いられる。あるいは最初にナノインプリントリソグラフィーを用いてレジストパターンを生成する場合には、その次にエッチマスク材料を得られたトレンチに析出させてもよく、その後、リフトオフ工程を実施する。Ｄ２ＰＡアレイの作製には他の方法も可能である。
【００６９】
Ｄ２ＰＡ構造の様々なパラメータを操作することで、約１００ｎｍ〜約８０００ｎｍの様々な波長の光を操作し得る。
【００７０】
増大構造は、検出される光の波長に特異的な１つ以上の特徴を用いて構成させてもよい。これらの特徴としては、材料の選択、ナノスケールピラーの高さ、ナノスケールピラーの側壁形状、ナノスケール金属ディスクの形状、ナノスケール金属ドット構造の間隔、金属材料、および金属バックプレーンの構成などが挙げられる。ナノスケール金属ドット構造の間隔の選択としては、更に、隣接するナノスケール金属ドット構造間の空隙距離を選択すること、および／またはナノスケール金属ディスクと隣接するナノスケール金属ドット構造との空隙間隔を選択すること、が挙げられる。
【００７１】
ナノスケール構造の基板は、電気絶縁体、誘電絶縁体または半導体であってもよい。場合により基板は、積層構造であってもよく、その場合、基板表面の層は、電気絶縁体または半導体のいずれかであり、表面層の下の基板本体は、任意の固体材料からなる。
【００７２】
ピラー本体は、絶縁体または半導体から形成されていてもよく、円形、尖形、多角形、錐体、楕円形、細長い棒状、またはそれらの任意の組み合わせからなる形状の群より選択される形状を有する上部を有する。ピラーの側壁表面は、円柱状、傾斜状または曲線状であってもよい。好ましくはピラーは、５ｎｍ〜７０００ｎｍの範囲の高さ、および５ｎｍ〜８０００ｎｍの範囲の直径を有する。場合によりピラーは、基板表面から延在するピラーのアレイの一部であってもよく、隣接するピラー間の間隔は、２ｎｍ〜４，０００ｎｍの範囲である。ピラーのアレイは、ナノスケール構造を利用して光の吸収または放射を最大にするために、選択された波長の光に関して選択された間隔で、周期的アレイを画定してもよい。ナノスケール構造上でのピラーの形成に適した材料としては、二酸化ケイ素、窒化ケイ素、酸化ハフニウム、酸化アルミニウム、ケイ素、砒化ガリウム、および窒化ガリウムが挙げられる。
【００７３】
ナノスケール構造の金属ディスクは、金、銀、銅、アルミニウム、それらの合金、またはそれらの組み合わせなどの金属から、ピラーの上部に形成される。金属ディスクの表面は均一である必要はなく、円形、尖形、多角形、楕円形、棒状、またはそれらの組み合わせなどの任意の構成を有していてもよい。好ましくは金属ディスクの側方寸法は、５ｎｍ〜１５００ｎｍの範囲であり、金属ディスクの垂直方向の厚さは、１ｎｍ〜５００ｎｍの範囲である。
【００７４】
ナノスケール構造のピラー側壁上に配設される金属ドット構造は、それぞれほぼ球状、円形、多角形、細長い形状またはそれらの組み合わせからなる形状の群より選択される形状を有し、３ｎｍ〜６００ｎｍの範囲の寸法を有する。共通のピラー上の金属ドット構造と金属ディスクとの空隙は、隣接する金属ドット構造間の空隙と同様に、０．５ｎｍ〜６００ｎｍの範囲である。
【００７５】
ナノスケール構造の金属バックプレーンは、ピラー本体を基板の表面から延在させる穴を含んで構成されてもよく、または実質的に連続していて、その表面にピラー本体が配設されていてもよい。好ましくは金属バックプレーンは、１ｎｍ〜２０００ｎｍ、例えば５０ｎｍ〜２００ｎｍの範囲の厚さを有し、金、銀、銅、アルミニウム、それらの合金、またはそれらの組み合わせからなる金属の群より選択される金属で構成されている。金属バックプレーンは、金属ディスクと同一材料、または異なる材料のいずれかで形成されていてもよい。
【００７６】
本開示のナノスケール構造は、様々な方法により生成されてもよい。局所電場を増大させるため、光を吸収するため、または光を放射するための、ナノスケール構造を製造する例示的方法は、絶縁体または半導体材料の外表面を含む基板を用意するステップ；５ｎｍ〜７０００ｎｍの範囲の高さおよび５ｎｍ〜８０００ｎｍの範囲の側方寸法を有するピラーのアレイを該外表面に形成するステップ；導体材料をピラーの上部および基礎となる基板に塗布するステップ；ならびに同時に（または続いて）ピラー側壁上に導体ドット構造を析出させるステップ、を含む。ピラーのアレイは、電子ビームリソグラフィー、イオンビームリソグラフィー、フォトリソグラフィーまたはナノインプリントリソグラフィーを含む工程により形成される。
【００７７】
約８００ｎｍの波長で光を増大するように構成された一実施形態において、Ｄ２ＰＡナノ構造は、周期的な非金属（例えば、誘電体または半導体）ピラーアレイ（ピッチ２００ｎｍおよび直径約１００ｎｍ）と、各ピラーの上部の金属ディスク（直径約１３５ｎｍ）と、ピラーの底部の金属バックプレーンと、ピラーの壁に無作為に配置された金属ナノドットと、およびこれらの金属構成要素の間のナノギャップと、で構成されていてもよい。ディスクアレイおよびバックプレーン（両者とも厚さ５５ｎｍ）が、励起光を垂直方向および側方に効率的に捕捉し得る３Ｄ空洞アンテナを形成する。各ピラーは、ピラーの幾何学的配置に応じて約１０〜５０個のナノドットを有し、ピラーの密度は、２．５×１０９ピラー／ｃｍ２である。
【００７８】
該デバイスは、４００〜１，０００ｎｍの範囲の波長を有する光を検出するように構成されていてもよい。ある特定の実施形態において、ナノドットの平均直径は、１ｎｍ〜２５ｎｍの範囲であり、ナノドット間の空隙、およびナノドットとナノディスクとの間の空隙は、１ｎｍ〜１０ｎｍの範囲であってもよい。金属は、金、銀、銅、アルミニウム、それらの合金、またはそれらの組み合わせからなる群より選択される。ピラーの上部は、円形、多角形、錐体、楕円形、細長い棒状、またはそれらの任意の組み合わせからなる形状の群より選択される形状を有する。金属ディスクの側方寸法は、５ｎｍ〜１５０ｎｍの範囲である。金属ディスクと金属バックプレーンとは、０．１ｎｍ〜６０ｎｍの範囲の距離を空けられている。少なくとも１つの金属ドット構造は、１ｎｍ〜２５ｎｍの範囲の寸法を有する。金属ドット構造と金属ディスクとの間の距離、および金属ドット構造と金属バックプレーンとの間の距離は、０．５ｎｍ〜５０ｎｍの範囲の距離を空けられている。
【００７９】
特定の実施形態において、複数のピラーの最も近い２つのピラーの間の間隔は、２ｎｍ〜２０ｎｍの範囲である。ピラーは、円柱状、傾斜状、または曲線状の側壁表面を有する。金属ディスクおよび金属バックプレーンの厚さは５ｎｍ〜６０ｎｍである。ピラーは、光の波長よりも小さい側方寸法または高さを有する。金属ディスクは、実質的にピラーと同じ側方の幾何学的配置を有する。ピラーは、ポリマー、二酸化ケイ素、窒化ケイ素、酸化ハフニウム、酸化アルミニウム、ケイ素、砒化ガリウム、および窒化ガリウムからなる群より選択される誘電体または半導体材料を含む。金属ディスクの側方寸法は、光の波長よりも小さい。
【００８０】
図２１は２つの別の実施形態を示し、実施形態（Ａ）４００では、ピラーの側壁には金属ドット構造が存在せず、ピラー４１５、ピラー上部の金属ディスク４３０、ピラー底部の金属バックプレーン４５０、ならびに該ディスクおよびバックプレーンにコーティングされた分子接着層４６０のみが存在する。それは基板４１０を有する。実施形態（Ｂ）５００では、ピラーおよび金属ドット構造は存在せず、金属バックプレーン５７０のみが存在氏、それは当該金属バックプレーン上の誘電体（例えば、ＳｉＯ２）または半導体の薄膜５８０を有する誘電体または半導体基板５１０上の金属薄膜５８０となっており、最終的に金属ディスク、該ディスクのみにコーティングされた分子接着層５６０が存在する。それは基板５１０を有する。
【００８１】
金属ディスクの形状およびサイズ（側方寸法およびその厚さ）は、Ｄ２ＰＡのものと類似している。実施形態（Ａ）の場合、ピラーおよびバックプレーンはＤ２ＰＡと類似している。実施形態（Ｂ）の場合、薄い誘電体および半導体層の材料はピラーの材料と類似しているが、膜の厚さは０．５ｎｍ〜１５０ｎｍであり、バックプレーンの厚さに限定はない（２ｎｍよりも薄いものは存在しないことを除く）。実施形態（Ｂ）において２つの非類似材料がディスクおよびバックプレーンで用いられ得ることを除けば、両方の実施形態において、金属の材料はＤ２ＰＡ内のものと類似している。
【００８２】
分子接着層および捕捉剤の被覆
図１に示される通り、ナノデバイス１００は、基礎となるＤ２ＰＡの金属表面の少なくとも一部を覆う分子接着層１６０を含む。分子接着層は２つの目的を有する。第一に、分子接着層はスペーサとして働く。最適な蛍光のために、発光標識（例えば、フルオロフォア）は金属表面に過度に接近させることはできない。なぜなら非放射線工程は蛍光をクエンチするからである。また増幅が減少されるため、発光標識を金属表面から過度に離すこともできない。理想的には発光標識は金属表面から最適な距離になければならない。第二に、分子接着層はナノデバイスに捕捉剤を結合させるための良好な接着をもたらす。良好な接着は、分子接着層の分子中に、一方では捕捉剤への、そして他方ではナノデバイスに対する高い親和性を有する反応性基を有することにより実現される
【００８３】
分子接着層（ＭＡＬ）１６０は、（ａ）架橋分子の自己集合化単層（ＳＡＭ）と、（ｂ）多分子層の薄膜と、（ｃ）（ａ）および（ｂ）の組み合わせと、（ｄ）捕捉剤のみと、を含む、多くの異なる構成を有し得る。
【００８４】
分子接着層１６０が架橋分子またはリガンドの自己集合化単層（ＳＡＭ）である、ＭＡＬ（ａ）の実施形態において、ＳＡＭの各分子は、３つの部分：（ｉ）ナノデバイスの表面に対する特異的な化学的親和性を有する頭部基と、（ｉｉ）捕捉剤に対する特異的な親和性を有する末端基と、（ｉｉｉ）頭部基と末端基をつなぐ長く連続した分子であり、その長さ（金属から捕捉剤までの平均間隔を決定する）がナノデバイスの光増幅に影響を及ぼし得る分子鎖と、を含む。そのようなＳＡＭを、図３に示す。
【００８５】
多くの実施形態において、金属表面に結合される頭部基は、チオール基、例えば−ＳＨに属する。金属表面に結合する頭部基の他の代替物は、カルボン酸（−ＣＯＯＨ）、アミン（Ｃ＝Ｎ）、セレノール（−ＳｅＨ）、またはホスファン（−Ｐ）である。他の頭部基、例えばシラン（−ＳｉＯ）は、単層が誘電体材料または半導体、例えばケイ素でコーティングされる場合に用いることができる。
【００８６】
多くの実施形態において、末端基は、非限定的にＮ−ヒドロキシスクシンイミジルエステル、スルホ−Ｎ−ヒドロキシスクシンイミジルエステル、ハロ置換フェノールエステル、ペンタフルオロフェノールエステル、ニトロ置換フェノールエステル、酸無水物、イソシアナート、イソチオシアナート、イミドエステル、マレイミド、ヨードアセチル、ヒドラジド、アルデヒド、またはエポキシドをはじめとし、様々な捕捉剤反応性基を含み得る。他の適切な基は、当該技術分野で公知であり、例えばＨｅｒｍａｎｓｏｎ，“Ｂｉｏｃｏｎｊｕｇａｔｅ  Ｔｅｃｈｎｉｑｕｅｓ”Ａｃａｄｅｍｉｃ  Ｐｒｅｓｓ，２ｎｄ  Ｅｄ．，２００８に記載され得る。末端基は、ナノデバイス表面に集合化された後に分子鎖に化学的に結合でき、または表面に集合化される前に分子鎖と共に合成できる。
【００８７】
他の末端基は、カルボキシル−ＣＯＯＨ基（ＥＤＣ／ＮＨＳで活性化されてリガンド上の−ＮＨ２との共有結合を形成する）；アミン−ＮＨ２基（ＥＤＣ／ＮＨＳにより活性化されたアミド結合を介してリガンド上の−ＣＯＯＨと共有結合を形成する）；−ＮＨ２と反応してエポキシ（架橋剤を必要としないリガンド）；アルデヒド（架橋剤を必要とせずにリガンド上の−ＮＨ２と反応）；チオール、−ＳＨ（ＳＭＣＣ様のバイオコンジュゲーションアプローチによりリガンド上の−ＮＨ２につなぐ）；およびグルタチオン（ＧＨＳ）（ＧＳＴタグ蛋白質の捕捉に理想的）である。
【００８８】
分子鎖は、炭素鎖であってもよく、その長さは、光シグナルを最適化するために発光標識から金属までの距離を変動させるよう調整できる。一実施形態において、実施例の節で詳細に記載される通り、ＳＡＭ層は、ジチオビス（スクシンイミジルウンデカノアート）であり、その頭部基は硫黄−金結合を通して金表面に結合する−ＳＨであり、末端基は捕捉剤の第一級アミン部位に結合するＮＨＳ−エステルであり、分子アルカン鎖は、１．７ｎｍの長さを有する。
【００８９】
多くの実施形態において、頭部基と末端基をつなぐ分子鎖はアルカン鎖であり、それは水素原子および炭素原子のみで構成されていて、全ての結合が単結合であり、かつ炭素原子は環状構造で結合しておらず、代わりに簡単な直鎖を形成している。分子鎖の他の代替物は、ポリ（エチレングリコール）（ＰＥＧ）、ポリ（乳酸）（ＰＬＡ）などのポリマーから得られるリガンドであってもよい。分子鎖は、頭部基が結合する金属表面にも、末端基が結合する捕捉剤にも、化学的に反応性がない。最大シグナル増幅を実現するために、分析物からナノデバイス表面までの距離を決定する鎖長を最適化できる。以下により詳細に記載される通り、分子鎖は、例えば０．５ｎｍ〜５０ｎｍの厚さを有し得る。
【００９０】
標題のナノセンサにおいて用いられる分子接着層は、一方の側では金属に強力に結合し（例えば硫黄原子を介して）、他方の側（外側）では捕捉剤反応性基、例えばアミン反応性基、チオール反応性基、ヒドロキシル反応性基、イミダゾリル反応性基、およびグアニジニル反応性基を終結させる、自己集合化単層（ＳＡＭ）で構成されていてもよい。単層は、疎水性または親水性表面を有していてもよい。最も一般的に用いられる捕捉剤反応性基は、ＮＨＳ（アミン反応性）およびマレイミド（スルフヒドリル反応性）であるが、多くの他の基を用いてもよい。
【００９１】
いくつかの実施形態において、分子接着層は、アルカンチオール（例えば、Ｋａｔｏ  Ｊｏｕｒｎａｌ  ｏｆ  Ｐｈｙｓｉｃａｌ  Ｃｈｅｍｉｓｔｒｙ  ２００２  １０６：９６５５−９６５８参照）、ポリ（エチレン）グリコールチオール（例えば、Ｓｈｅｎｏｙ  ｅｔ  ａｌ  Ｉｎｔ．Ｊ．Ｎａｎｏｍｅｄｉｃｉｎｅ．２００６  １：５１−５７参照）、芳香族チオール、またはチオールで終結するいくつかの他の鎖の自己集合化単層であってもよい。
【００９２】
（ａ）チオールの硫黄が金および他の金属と相互作用すれば、強力かつ安定した結合を形成する（例えば、Ｎｕｚｚｏ  ｅｔ  ａｌ  Ｊ．Ａｍ．Ｃｈｅｍ．Ｓｏｃ．１９８７  １０９：２３５８−２３６８参照）ため、かつ（ｂ）ファンデルワールス力はアルカンと他の鎖とを集積させて、ＳＡＭを自発的に集合化させる（例えば、Ｌｏｖｅ  ｅｔ  ａｌ．Ｃｈｅｍ．Ｒｅｖ．２００６  １０５：１１０３−１１６９参照）ので、チオール基が用いられてもよい。更に、末端基は、捕捉分子への直接結合に、または更なる化学修飾に利用できる。
【００９３】
アルカンチオールが、いくつかの実施形態において用いられ得る。アルカンチオールの集密な単層１ｃｍ２あたり４×１０１４のアルカンチオール分子が存在すると推定されており（Ｎｕｚｚｏ  ｅｔ  ａｌ，Ｊ．Ａｍ．Ｃｈｅｍ．Ｓｏｃ．１９８７  １０９：７３３−７４０）、これは基礎構造の表面の各金原子に対する１つのアルカンチオール結合に大体相当する。アルカンチオールで構成される自己集合化単層は、金基板をアルカンチオール溶液に浸漬することにより生成され得る（例えば、Ｌｅｅ  ｅｔ  ａｌ  Ａｎａｌ．Ｃｈｅｍ．２００６  ７８：  ６５０４−６５１０参照）。金は、還元されたアルカンチオール（−ＳＨ基）およびアルキルジスルフィド（−Ｓ−Ｓ−）の両方と反応可能である（例えば、Ｌｏｖｅ  ｅｔ  ａｌ  Ｃｈｅｍ．Ｒｅｖ．２００５  １０５：１１０３−１１６９参照）。
【００９４】
ポリ（エチレン）グリコールチオールまたはアルカンチオールの自己集合化単層が生成されたら、数多くの方策を利用して、捕捉剤を自己集合化単層とつなぐことができる。一実施形態において、ストレプトアビジン（ＳＡ）などの捕捉剤をＳＡＭに結合させて、ビオチン化捕捉剤を固定できる。
【００９５】
一実施形態において、ストレプトアビジン（ＳＡ）そのものをＳＡＭの官能基（例えば、末端基）として用いて、ＳＡに対する高い結合親和性を有する捕捉剤分子、例えばペプチド、オリゴヌクレオチド、蛋白質および糖を含むビオチン化分子を架橋させることができる。
【００９６】
アビジン、ストレプトアビジンの官能基は、ビオチン基に対する高い親和性を有し、アビジン−ビオチンを形成する。そのような高い親和性が、アビジン／ストレプトアビジンを官能基として、そしてビオチン基を相補的官能基の結合として良好に作用させる。そのような官能基は、分子接着層のナノデバイスへの結合、分子接着層と捕捉剤との結合、および発光標識の二次捕捉剤への結合、におけるものであってもよい。一実施形態において、チオール反応性基を含む分子接着層は、金表面をアミン末端のＳＡＭにつなぎ、そして更にスルホスクシンイミジル４−（Ｎ−マレイミドメチル）シクロヘキサン−１−カルボキシラート（スルホ−ＳＭＣＣ）を利用してアミン基を更に修飾してマレイミド活性化表面を生成することにより、作製してもよい。マレイミド活性化表面は反応性チオール基であり、チオール（例えば、システイン）基を含む捕捉剤につなぐために用いることができる。
【００９７】
別の実施形態において、アミン反応性基（Ｎ−ヒドロキシルスクシンイミド（ＮＨＳ））を含む分子接着層は、例えば金基板をジチオビススルホスクシンイミジルプロピオナート（ＤＳＰ）またはジチオビス（スクシンイミジルウンデカノアート）などのスクシンイミジルアルカンジスルフィドの１〜１０ｍＭ溶液に浸漬することにより、生成できる（例えば、Ｐｅｅｌｅｎ  ｅｔ  ａｌ  Ｊ．Ｐｒｏｔｅｏｍｅ  Ｒｅｓ．２００６  ５：１５８０−１５８５、およびＳｔｏｒｒｉ  ｅｔ  ａｌ  Ｂｉｏｓｅｎｓ．Ｂｉｏｅｌｅｃｔｒｏｎ．１９９８  １３：３４７−３５７参照）。
【００９８】
別の実施形態において、アミン反応性基（ＮＨＳ）を含む分子接着層は、１２−カルボキシ−１−ウンデカンチオールなどのカルボキシル末端ＳＡＭを用いて生成してもよい。この場合、ＳＡＭの表面を１−エチル−３（３−ジメチルアミノプロピル）カルボジイミドＨＣｌ（ＥＤＣ）の存在下でＮＨＳにつないで、第一級アミンとの安定したアミド結合を形成する中間体を生成してもよい（例えば、Ｊｏｈｎｓｓｏｎ  ｅｔ  ａｌ  Ａｎａｌ．  Ｂｉｏｃｈｅｍ．  １００１  １９８：  ２６８−２７７参照）。
【００９９】
別の実施形態において、分子接着層はＩｇＧ、他の免疫グロブリン形態、例えばＩｇＥのＦｃ領域に高い親和性で結合するプロテインＡを含んでいてもよい。
【０１００】
別の実施形態において、イミダゾール基（同じくアミンと反応性がある）は、カルボキシル末端ＳＡＭを１，１’−カルボニルジイミダゾール（ＣＤＩ）と反応させることにより付加されてもよい。
【０１０１】
更なる実施形態において、アルデヒド末端アルカンチオール単層を用いて、蛋白質とアミン末端ＤＮＡオリゴヌクレオチドの両方を固定でき、ヒスチジン・タグ融合蛋白質を、ニトリロ三酢酸（ＮＴＡ）修飾金表面上に固定できる。
【０１０２】
チオール反応性基は、アプタマーをはじめとする合成ＤＮＡおよびＲＮＡオリゴヌクレオチドにつなぐことができ、それらはチオール末端付きで商業的に容易に合成できる。チオール反応性基は、システイン基を含む蛋白質、例えば抗体にもつなぐことができる。チオール化された分子はマレイミド修飾表面に結合させることができる（例えば、Ｓｍｉｔｈ  ｅｔ  ａｌ  Ｌａｎｇｍｕｉｒ  ２００２  １９：１４８６−１４９２参照）。ある特定の例では、末端Ｃｙｓの後に挿入されたアミノ酸スペーサ（例えば、Ｓｅｒ−Ｇｌｙ−Ｓｅｒ−Ｇｌｙ）を用いて、スペーサを欠く相対ペプチドの結合量を改善できる。オリゴヌクレオチドでは、アルカンスペーサを用いることができる。末端チオールを含むよう合成された炭水化物は、同じ方法で金に結合させることができる。
【０１０３】
アミノ反応性基は、第一級アミン、例えばリシン残基上の遊離アミンと結合を形成できる。アミン反応性表面を用いて、蛋白質だけでなく、リシン残基を含むペプチドおよびアミン末端を有する合成オリゴヌクレオチドなどの他の生体分子を固定できる。
【０１０４】
分子接着層１６０が多分子層の薄膜であるＭＡＬ（ｂ）の実施形態において、該分子を、物理的吸着または強力な結合によりＤ２ＰＡナノデバイス上にコーティングしてもよい。一実施例において、プロテインＡを、Ｄ２ＰＡナノデバイス表面の全体または部分的エリアにコーティングでき、その場合、プロテインＡは、物理的吸着工程により結合させることができ、４ｎｍ〜５ｎｍの厚さを有する。別の実施例において、該層はポリエチレングリコール（ＰＥＧ）などのポリマーの薄膜であってよく、１つの末端に官能性頭部基、例えばチオール（−ＳＨ）を有する。官能化されたＰＥＧ分子層は、Ｄ２ＰＡナノデバイス表面に強力な結合を形成する。ＰＥＧ分子層の厚さはＰＥＧポリマー鎖の長さを変化させることにより調整できる。別の実施例は非晶質ＳｉＯ２薄膜であり、物理的または化学的析出法、例えば蒸着、スパッタリング、ゾル−ゲル法を利用してＤ２ＰＡナノデバイスの表面に被覆される。ＳｉＯ２薄膜の厚さは被覆の間に正確に制御できる。
【０１０５】
分子接着層１６０が多分子層薄膜とＳＡＭとの組み合わせである、ＭＡＬ（ｃ）の実施形態において、ＳＡＭ層が最初に被覆され、次に多分子層が被覆されてもよい。
【０１０６】
一実施例において、分子接着層は最初にストレプトアビジンの単層を含み、その次にビオチン、ペプチド、オリゴヌクレオチド、蛋白質および糖を含むビオチン化分子など、ストレプトアビジンに対する高い結合親和性を有する他の分子層を含んでもよい。
【０１０７】
一実施例において、分子接着層は、ＳＡＭ層ジチオビス（スクシンイミジルウンデカノアート）（ＤＳＵ）およびプロテインＡ層を含んでもよい。ＤＳＵ  ＳＡＭ層は、硫黄−金結合を通してナノデバイスの金属表面に結合し、かつプロテインＡ上の第一級アミン部位に結合するＮＨＳエステルの末端基を有する。特定の例において、捕捉抗体は、ＤＳＵの上部にプロテインＡがあるそのような二層に、それらのＦｃ領域により結合する。プロテインＡは、より良好な捕捉効率のために抗体の配向を確保できる。
【０１０８】
分子接着層１６０が捕捉剤そのものであるＭＡＬ（ｄ）の実施形態において、捕捉剤は、標題のナノデバイス（即ち、Ｄ２ＰＡ）の金属またはピラー側壁に対して高い親和性を有する頭部基を有する。一般的な頭部基の１つはチオール反応性基である。チオール反応性基は、アプタマーをはじめとする合成ＤＮＡおよびＲＮＡオリゴヌクレオチドに結合させることができ、それらはチオール末端付きで商業的に容易に合成できる。チオール反応性基は、システイン基を含む蛋白質、例えば抗体にもつなぐことができる。ＭＡＬそのものが捕捉剤として用いられる別の実施例には、抗体フラグメント、例えば半ＩｇＧ、Ｆａｂ、Ｆ（ａｂ’）２、Ｆｃの層がある。抗体フラグメントは、ヒンジ領域内に局在するチオールエンドペプチダーゼを介して直接、金属表面に結合する。この実施形態を図６に示す。この実施形態において、核酸は、ナノデバイスに直接結合する頭部基を含む。そのステップの残りは、図５に記載する通り実施される。
【０１０９】
分子接着層の厚さは、０．５ｎｍ〜５０ｎｍ、例えば１ｍ〜２０ｎｍの範囲でなければならない。分子接着層の厚さは、例えば用いられるＳＡＭのリンカー（アルカンまたはポリ（エチレングリコール）鎖）の長さを増加または減少させることにより、特定の適用例に最適化させることができる。リンカー内の各結合が０．１ｎＭ〜０．１５ｎＭであると仮定すれば、最適なＳＡＭは、ある特定の例において、５〜５０個の炭素原子、例えば１０〜２０個の炭素原子のポリマーリンカーを含み得る。
【０１１０】
捕捉剤と分子接着層表面の捕捉剤反応性基との反応を介して、捕捉剤を分子接着層に結合させることにより、ナノセンサが作製され得る。
【０１１１】
捕捉剤は、先に議論された方法など任意の簡便な方法により、分子接着層に結合させることができる。多くの例において、捕捉剤は、ビオチンとストレプトアビジンなどのような高親和性で強力な相互作用により、分子接着層に結合され得る。ストレプトアビジンは蛋白質であるため、先に記載されたアミン反応性の方法のいずれかを利用して、ストレプトアビジンを分子接着層の表面につなぐことができる。ビオチン化された捕捉剤は、それらをストレプトアビジン上にスポットすることにより固定できる。他の実施形態において、捕捉剤は、強力な結合を形成する反応、例えば捕捉剤と分子接着層との間にアミド結合を生成する、蛋白質のリシン残基内のアミン基またはアミノ化オリゴヌクレオチドとＮＨＳエステルとの反応、を介して分子接着層に結合させることができる。他の実施形態において、捕捉剤は、蛋白質のシステイン残基内のスルフヒドリル基またはスルフヒドリルオリゴヌクレオチドと分子接着層の表面のスルフヒドリル反応性マレイミドとの反応を介して、分子接着層に強力に結合させることができる。捕捉剤を様々な反応性基につなぐためのプロトコルは、当該技術分野で周知である。
【０１１２】
一実施形態において、捕捉剤は、蛋白質を捕捉する核酸であってもよく、または捕捉剤は、核酸、例えばＤＮＡ、ＲＮＡを捕捉する蛋白質であってもよい。核酸は、配列特異的（緊密な）結合または非配列特異的（緩い）結合により蛋白質に結合し得る。
【０１１３】
ある特定の例において、標題のナノデバイスは、方法：（ａ）基板の上部表面で少なくとも１つのピラーをパターン化すること；（ｂ）上部表面の金属材料層を被覆させること；（ｃ）ピラー上部に付着した金属材料にディスクを形成させ、ピラー底部に付着した金属材料に金属バックプレーンを形成させ、かつ側壁に被覆された金属材料に少なくとも１つの金属ドット構造を形成させること；そして先に記載された通り（ｄ）被覆した金属材料の上部に分子接着層を結合させて、分子接着層が金属ドット構造、金属ディスク、および／または金属バックプレーンの少なくとも一部を覆い、かつ分子接着層の外表面が捕捉剤反応性基を含むこと、を利用して作製されてもよい。
【０１１４】
更に、（ａ）におけるパターン化は材料の直接的なインプリンティング（エンボシング）を含み、該材料は、電気的性質として誘電体または半導体であってもよく、ポリマー、またはモノマーもしくはオリゴマーの硬化により形成されたポリマー、または非晶質無機材料であってもよい。該材料は、１０ナノメータ〜１０ミリメータの厚さの薄膜であってもよく、または基板を有する多層材料であってもよい。インプリンティング（即ち、エンボシング）とは、表面に構造を有する鋳型を有し、この鋳型を該材料内にプレスすると該材料に反転した構造が刻印されることである。基板、または上部のインプリンティングされた層は、プラスチック（即ち、ポリマー）、例えばポリスチリング（ｐｏｌｙｓｔｙｒｉｎｇ）（ＰＳ）、ポリ（メタクリル酸メチル）（ＰＭＭＡ）、ポリエチレンテレフタラート（ＰＥＴ）、他のアクリル樹脂などであってもよい。インプリンティングは、ローラーインプリンターを用いたロール・ツー・ロール技術により実施されてもよい。そのような工程は、大きな経済的利点を有し、このためコストが削減される。
【０１１５】
ナノセンサ
先に示された方法により作製されるナノセンサが提供される。ある特定の実施形態において、ナノセンサは、（ａ）基板と；（ｂ）基板の表面から延在する１つまたは複数のピラーと、を含み、ピラーの少なくとも１つは、ｉ．ピラーの上部の金属ディスクと、ｉｉ．ピラーの底部にあり、ピラーの底部付近の基板表面の大部分を覆う金属バックプレーンと、ｉｉｉ．ピラーの側壁に配設された金属ドット構造と；ｉｖ．金属ドット構造、金属ディスクおよび／または金属バックプレーンの少なくとも一部を覆う分子接着層と；ｖ．分析物に特異的に結合する、分子接着層につなげられた捕捉剤と、を含む。ナノセンサは、分析物が捕捉剤に結合されると、分析物からの光シグナルを増幅させることを特徴とする。
【０１１６】
光の増幅は、以下の因子の１つまたは複数によって生じる：ナノセンサが（ａ）光（例えば、蛍光部分を励起する波長の光）の励起を効果的に吸収することができる、（ｂ）吸収された光をある特定の位置に集束させることができる、（ｃ）光のほとんどが集束される領域に分析物を配置させることができる、そして（ｄ）分析物が固定された位置から、分析物により発生された光を効率的に放射させることができる。
【０１１７】
分析物を標識する方法にもよるが、増幅される光シグナルは、ルミネセンス（例えば、化学ルミネセンス、エレクトロルミネセンス、または蛍光）であってもよい。図３に、捕捉剤が蛋白質、例えば抗体であるバイオセンサを示し；図４に、捕捉剤が核酸、例えばオリゴヌクレオチドであるバイオセンサを示す。いくつかの実施形態において、分子接着層の厚さは、光シグナルの増幅を最適化するように選択される。
【０１１８】
いくつかの実施形態において、異なる捕捉剤が、ナノセンサ表面に結合されており、各捕捉剤は、例えばアレイの形態で、ナノセンサ表面の異なる位置にコーティングされ、各位置は特異的な分析物種を捕捉するよう特化されているため、こうして異なる分析者の検出における多重化が得られる。
【０１１９】
いくつかの実施形態において、ナノセンサは、マルチウェル形式、例えば２４ウェル、９６ウェル、または３８４ウェル形式で実行されてもよく、その場合、マルチウェルプレートの各ウェルがナノセンサを含む（例えば、ナノセンサは、ウェルそれぞれの内部にあるか、または各ウェルの底もしくは側壁部分にある）。各ウェルの捕捉剤は、同一であっても、または異なっていてもよい。いくつかの実施形態において、それぞれが異なる位置にコーティングされている複数の異なる捕捉剤が、ウェルに入れられていてもよく、それにより異なる分析者の検出の多重化を得られる。これらの実施形態において、試料中の複数の分析物が、並行して分析され得る。いくつかの実施形態において、ナノセンサは、マイクロまたはナノ流体チャネルの一部であってもよい。
【０１２０】
特定の実施形態において、標題のナノセンサは、捕捉剤に特異的に結合する標識された分析物を更に含んでいてもよい。先に注記された通り、標識された分析物は、発光標識で直接的または間接的に標識されていてもよい。分析物が発光標識で間接的に標識される実施形態において、分析物は、それ自体が光学的に標識されている、検出剤（例えば、二次抗体または別の核酸）とも言われる二次捕捉剤に結合されていてもよい。二次捕捉剤は、いくつかの例において、「検出剤」と呼ばれる場合がある。
【０１２１】
別の実施形態において、標題のナノセンサは、マイクロ流体チャネル（１〜１０００マイクロメータのチャネル幅）もしくはナノ流体チャネル（１マイクロメートル未満のチャネル幅）の内側、またはそのようなチャネルの内壁の一部に配設されていてもよい。ナノセンサは、各チャネルの内側の複数の位置に配設されていてもよく、複数のチャネル内で用いられてもよい。異なる位置または異なる流体チャネル内のナノセンサが、後に、検出の多重化のために異なる捕捉剤でコーティングされてもよい。
【０１２２】
システム
また提供されるのは、標題のナノセンサと、ナノセンサのためのホルダーと、標識（即ち、発光標識）からの光シグナルを誘導する励起供給源と、光シグナルを読み取るように適合されたリーダ（例えば、ナノセンサの表面の二次元スペクトルマップを生成し得る、光検出器、ＣＣＤカメラ、ＣＭＯＳカメラ、分光計、または画像デバイス）と、を含むシステムである。明白であろうが、該システムは、リーダからの電気シグナルを増幅、フィルタリング、調節、制御および保存し、リーダおよび試料ホルダーの位置を制御する、電子装置、コンピュータシステム、ソフトウエア、および他のハードウエアも有し得る。試料ホルダーの位置は１つまたは全ての３つの垂直方向に移動して、試料の異なる位置からの光シグナルをリーダにスキャンさせることができる。
【０１２３】
励起源は、（ａ）光源、例えば特定のフルオロフォアを励起するのに適した波長のレーザ、および波長の選択のための光フィルタを備えたランプもしくは発光ダイオード、または（ｂ）電流を提供してナノセンサからの光を励起する電源（電子化学ルミネセンス標識が用いられる場合に使用され得る）であってもよい。例示的システムを図２に示す。図２を参照すると、励起システムは、レーザと、レーザ光学素子（ビームエキスパンダ、レンズ、鏡およびレーザラインパスフィルタを含む）と、リーダ（例えば、ＣＣＤセンサを有する分光計）と、更なる光学素子（例えば、長波長パスフィルタ、ビームスプリッタ、およびレンズ）と、ナノセンサのホルダーと、を含み得る。ある特定の例において、ホルダーは、Ｘ−ＹおよびＺ移動する電動化ステージ上にあってもよい。
【０１２４】
特定の例において、レーザラインパスフィルタは、波長がレーザと異なる光を選別し、長波長パルフィルタは、光検出標識からの光発出のみを通過させる。異なる蛍光標識は異なるスペクトル範囲の光を吸収するため、蛍光標識は、最適な量子効率を実現するためにピーク吸収波長をレーザ励起波長に適合させるように選択されなければならない。多くの実施形態において、ナノセンサ上の蛍光標識から発出する光シグナルは、レーザ波長よりも少なくとも２０ｎｍ高い波長である。つまりナノセンサのプラズモン共鳴は、蛍光標識の吸収ピーク波長、発光ピーク波長、およびレーザ励起波長を網羅するように調整されなければならない。いくつかの実施形態において、励起および蛍光波長範囲は、１００ｎｍ〜２０，０００ｎｍであってもよい。好ましい範囲は、３００ｎｍ〜１２００ｎｍである。６００〜８５０ｎｍの範囲は、低いバックグランドノイズであるため好ましい。
【０１２５】
先の事柄から明白であろうが、ある特定のナノセンサは、マルチウェル形式で実行されてもよい。これらの実施形態において、ステージは、リーダがマルチウェルプレートの各ウェルからの光シグナルを個別に読み取り得るように移動できる。
【０１２６】
アッセイ法
標題のナノセンサを用いて試料中の分析物を検出してもよい。この方法は、（ａ）試料中の分析物と捕捉剤との特異的結合に適した条件下で、分析物を含む試料をナノセンサと接触させること；および（ｂ）ナノセンサから光検出可能なシグナルを読み取ること、を含んでいてもよく、光検出可能なシグナルが、分析物が捕捉剤に結合していることを示す。先のステップ（ａ）において、捕捉剤への結合の前に、分析物は発光標識で標識されてもよく、または標識されなくてもよい（直接的または間接的標識とも称される）。分析物が結合前に発光標識で標識されない実施形態において、捕捉剤に結合した後の分析物は、それ自体が光標識された二次捕捉剤（即ち、検出剤）（例えば、二次抗体または別の核酸）、標識された二次捕捉剤または標識された検出剤に結合されてもよい（そのような工程は、分析物の間接的標識とも称される）。間接的標識を利用した感知において、分析物に結合していない標識二次捕捉剤は、先の読み取りステップ（ｂ）の前に除去される。直接的標識を利用した感知において、分析物に結合していない光標識は、先の読み取りステップ（ｂ）の前に除去される。
【０１２７】
アッセイで発光標識を読み取る際、励起（光励起、電子励起、化学励起、またはそれらの組み合わせ）が発光標識に適用されて、強度、波長、および位置をはじめする光の特性が検出される。
【０１２８】
ある特定の実施形態において、該方法は、捕捉剤を標題のナノデバイスの分子接着層に結合させてナノセンサを生成することを含み、その結合は、先に記載された通り、捕捉剤と、分子接着層状上の分子中の捕捉剤反応性基との化学反応を通して実施される。次に、該方法は、標的分析物を含む試料をナノセンサと接触させることを含み、接触は、特異的結合に適した条件下で実施され、標的分析物は捕捉剤に特異的に結合する。このステップの後、該方法は、捕捉剤に結合していない任意の標的分析物を除去することを含み（例えば、結合緩衝液中でナノセンサの表面を洗浄することによる）、その後、光検出性標識と結合された検出剤を添加して、標的分析物を検出する。標的分析物に結合していない検出剤を除去した後、ナノデバイスをその後読み取りシステムと共に用いて、ナノセンサに結合したままの検出剤からの光シグナル（例えば、３００ｎｍ〜１２００ｎｍの範囲の波長の光）を読み取ることができる。明白であろうが、該方法は、標的分析物を発光標識で標識することを更に含む。これは、接触ステップの前または後に、即ち分析物が捕捉剤に結合した後に実施できる。ある特定の実施形態において、分析物は、ナノセンサと接触する前に標識される。他の実施形態において、分析物は、ナノセンサの捕捉剤に結合した後に標識される。更に先に述べた通り、分析物は、直接的に標識されても（その場合、分析物は該方法の開始時に発光標識に強力につながり得る）、または間接的に標識されてもよい（即ち、標的分析物を、標的分析物に特異的に結合しかつ発光標識につながれる二次捕捉剤、例えば標識された二次抗体または標識された核酸、に結合させることによる）。いくつかの実施形態において、該方法は、接触ステップ（ｂ）の前にナノセンサをブロッキングし、それにより捕捉剤の非標的分析物への非特異的結合を予防することを含んでいてもよい。
【０１２９】
特異的結合および標的分析物が捕捉剤に特異的に結合するための適切な条件としては、適切な温度、時間、溶液のｐＨレベル、周囲の光レベル、湿度、化学試薬濃度、抗原−抗体比などが挙げられる。
【０１３０】
ある特定の実施形態において、核酸捕捉剤を用いて蛋白質分析物（例えば、ＤＮＡまたはＲＮＡ結合蛋白質）を捕捉できる。別の実施形態において、該蛋白質捕捉剤（例えば、ＤＮＡまたはＲＮＡ結合蛋白質）を用いて核酸分析物を捕捉できる。
【０１３１】
試料は液体試料であってもよく、ある特定の実施形態において、試料は細胞、組織または体液由来の臨床試料であってもよい。目的の体液としては、非限定的に、羊水、房水、硝子体液、血液（例えば、全血、血液画分、血漿、血清など）、母乳、脳髄液（ＣＳＦ）、耳垢（耳糞）、乳び、消化粥、内リンパ、外リンパ、便、胃酸、胃液、リンパ、粘液（鼻漏および痰を含む）、囲心腔液、腹腔液、胸膜液、膿、粘膜分泌液、唾液、皮脂（皮膚の油）、精液、喀出物、汗、滑液、涙液、嘔吐物、尿および呼気凝縮液が挙げられる。
【０１３２】
アッセイのステップのいくつかを、図４および５に示す。捕捉剤とそれらの結合パートナー（分析物を含む）との分子相互作用についての方法の一般的方法は、当該技術分野で周知である（例えば、Ｈａｒｌｏｗ  ｅｔ  ａｌ，．Ａｎｔｉｂｏｄｉｅｓ：Ａ  Ｌａｂｏｒａｔｏｒｙ  Ｍａｎｕａｌ，Ｆｉｒｓｔ  Ｅｄｉｔｉｏｎ（１９８８）Ｃｏｌｄ  ｓｐｒｉｎｇ  Ｈａｒｂｏｒ，Ｎ．Ｙ．；Ａｕｓｕｂｅｌ，ｅｔ  ａｌ，Ｓｈｏｒｔ  Ｐｒｏｔｏｃｏｌｓ  ｉｎ  Ｍｏｌｅｃｕｌａｒ  Ｂｉｏｌｏｇｙ，３ｒｄ  ｅｄ．，Ｗｉｌｅｙ  ＆  Ｓｏｎｓ，１９９５参照）。図４および５に示された方法は、例示であり、それらの図に記載された方法は、アッセイを実施する唯一のやり方ではない。
【０１３３】
例示的抗体結合アッセイのステップのいくつかを図４に示す。このアッセイにおいて、ナノデバイス１００は、先に記載された方法に従って抗体につながれて、ナノデバイスの分子接着層に結合された抗体２０２を含むナノセンサ２００を生成する。ナノセンサ２００が生成された後、ナノセンサは、特異的結合に適した条件下で標的分析物（例えば、標的蛋白質）を含む試料と接触される。抗体２０２は試料中の標的分析物２０４に特異的に結合する。未結合分析物がナノセンサから洗い流された後、ナノセンサは、特異的結合に適した条件下で発光標識２０８で標識された二次抗体２０６と接触される。未結合の二次抗体がナノセンサから除去された後、ナノセンサを読み取り、初期試料中の分析物２０４の量が同定および／または定量化されてもよい。
【０１３４】
例示的核酸結合アッセイのステップのいくつかを図５に示す。このアッセイにおいて、ナノデバイス１００は、先に記載された方法に従って核酸、例えばオリゴヌクレオチドにつながれて、分子接着層につながれた核酸分子３０２を含むナノセンサ３００を生成する。ナノセンサ２００が生成された後、ナノセンサは、標的核酸３０４の核酸捕捉剤３０２への特異的ハイブリダイゼーションに適した条件下で、標的核酸３０４を含む試料と接触される。核酸捕捉剤３０４は試料中の標的核酸３０４に特異的に結合する。未結合の核酸がナノセンサから洗い流された後、ナノセンサは、特異的ハイブリダイゼーションのための条件下で、発光標識３０８で標識された二次核酸３０６と接触される。未結合二次核酸がナノセンサから除去された後、ナノセンサを読み取り、初期試料中の核酸３０４の量が同定および／または定量化されてもよい。
【０１３５】
標題のデバイスを用いて実施され得る、増大されたＤＮＡハイブリダイゼーションアッセイの一例が、サンドイッチハイブリダイゼーションアッセイである。捕捉ＤＮＡは、その３’末端がチオールで官能化された一本鎖ＤＮＡである。検出ＤＮＡは、３’末端が蛍光標識、例えばＩＲＤｙｅ８００ＣＷで官能化された一本鎖ＤＮＡである。捕捉ＤＮＡおよび検出ＤＮＡは両者とも２０ｂｐの長さを有する。それらは異なる配列で合成されており、異なる領域で標的ＤＮＡへの相補的結合を形成する。最初に捕捉ＤＮＡが硫黄−金反応によりＤ２ＰＡナノデバイスの金属表面に固定される。その後、標的ＤＮＡがナノデバイスに添加されて、捕捉ＤＮＡにより捕捉される。最後に蛍光標識された検出ＤＮＡがナノデバイスに添加されて、固定された標的ＤＮＡが検出される。未結合の検出ＤＮＡを洗い流した後、ナノデバイス表面からの蛍光シグナル発出が、標的ＤＮＡ分子の検出および定量化のために測定される。
【０１３６】
図４および５に示される実施形態において、結合した分析物は、フルオロフォアまたは視覚的に検出され得る色素生成化合物の合成を触媒する酵素に結合され得る二次捕捉剤（即ち、「検出剤」）を用いて、もしくは画像システムを用いて検出できる。一実施形態において西洋ワサビペルオキシダーゼ（ＨＲＰ）を用いてもよく、これにより色素生成基質（例えば、ＴＭＢ、ＤＡＢ、またはＡＢＴＳ）を有色生成物に変換し得る、または、化学ルミネセンス基質が用いられる場合にはルミネセンス生成物を生成し得る。特定の実施形態において、標識により生成された光シグナルは、３００ｎｍ〜９００ｎｍの範囲の波長を有する。ある特定の実施形態において、標識は、エレクトロルミネセンスであってもよく、そのため光シグナルは、センサに電流を供給することにより生成され得る。
【０１３７】
いくつかの実施形態において、二次捕捉剤（即ち、検出剤）、例えば二次抗体または二次核酸は、フルオロフォア、例えばキサンテン染料、例えばフルオレセインイソチオシアナート（ＦＩＴＣ）、６−カルボキシフルオレセイン（略語ＦＡＭおよびＦにより一般に知られる）、６−カルボキシ−２’，４’，７’，４，７−ヘキサクロロフルオレセイン（ＨＥＸ）、６−カルボキシ−４’，５’−ジクロロ−２’，７’−ジメトキシフルオレセイン（ＪＯＥまたはＪ）、Ｎ，Ｎ，Ｎ’，Ｎ’−テトラメチル−６−カルボキシローダミン（ＴＡＭＲＡまたはＴ）、６−カルボキシ−Ｘ−ローダミン（ＲＯＸまたはＲ）、５−カルボキシローダミン−６Ｇ（Ｒ６Ｇ５またはＧ５）、６−カルボキシローダミン−６Ｇ（Ｒ６Ｇ６またはＧ６）、およびローダミン１１０などのフルオレセインおよびローダミン染料；シアニン染料、例えばＣｙ３、Ｃｙ５およびＣｙ７染料；クマリン、例えばウンベリフェロン；ベンゾイミド染料、例えばＨｏｅｃｈｓｔ  ３３２５８；フェナントリジン染料、例えばＴｅｘａｓ  Ｒｅｄ；エチジウム染料；アクリジン染料；カルバゾール染料；フェノキサジン染料；ポルフィリン染料；ポリメチン染料、例えばＣｙ３、Ｃｙ５などのシアニン染料；ＢＯＤＩＰＹ染料ならびにキノリン染料につながれてもよい。表題の適用において一般に用いられる具体的な目的のフルオロフォアとしては、ピレン、クマリン、ジエチルアミノクマリン、ＦＡＭ、フルオレセインクロロトリアジニル、フルオレセイン、Ｒ１１０、エオシン、ＪＯＥ、Ｒ６Ｇ、テトラメチルローダミン、ＴＡＭＲＡ、リサミン、ＲＯＸ、ナプトフルオレセイン、Ｔｅｘａｓ  Ｒｅｄ、ナプトフルオレセイン、Ｃｙ３、およびＣｙ５、ＩＲＤｙｅ８００、ＩＲＤｙｅ８００ＣＷ、Ａｌｅｘａ  ７９０、Ｄｙｌｉｇｈｔ  ８００などが挙げられる。
【０１３８】
一次および二次捕捉剤は、高い特異的親和性により標的分析物に結合しなければならない。しかし一次および二次捕捉剤は、抗原内の異なる部位に結合する必要があるため分子であることはできない。一例が、抗ヒトβアミロイド捕捉抗体６Ｅ１０および検出Ｇ２１０であり、その場合、６Ｅ１０はヒトβアミロイドペプチド上の１０番目のアミン部位のみに結合し、Ｇ２１０は４０番目のアミン部位のみに結合する。捕捉剤および二次捕捉剤は互いに反応しない。別の実施例は、ウサギ抗ヒトＩｇＧを捕捉抗体として使用しロバ抗ヒトＩｇＧを検出抗体として使用する。捕捉および検出剤は異なる宿主種に由来するため、それらは互いに反応しない。
【０１３９】
蛋白質、例えば二次抗体、および核酸をフルオロフォアで標識する方法は、当該技術分野で周知である。化学ルミネセンス標識は、アクリジニウムエステルおよびスルホンアミド、ルミノールおよびイソルミノールを含み；電子化学ルミネセンス標識は、ルテニウム（ＩＩ）キレート化剤を含み、他のものも公知である。
【０１４０】
応用例
標題の方法および組成物は、様々な適用例に用途を見出し、そのような適用例は、所与の試料中の特定分析物の存在を、定量的でないとしても少なくとも定性的に検出する、分析物検出の適用例である。分析物検出アッセイを実施するためのプロトコルは、当業者に周知であり、本明細書に詳細に記載する必要はない。一般に、目的の分析物を含むことが疑われる試料を、標題のナノセンサに結合された各捕捉剤に分析物を結合させるのに十分な条件下で、該センサの表面と接触させる。捕捉剤は目的の標的分子に対して高い特異的親和性を有する。この親和性は、抗体が抗原上の特異的エピトープに結合する抗原−抗体反応であってもよく、または核酸の２つ以上の相補鎖の間での配列特異的なＤＮＡ／ＲＮＡまたはＤＮＡ／ＲＮＡハイブリダイゼーション反応であってもよい。つまり目的の分析物が試料中に存在する場合、分析物が捕捉剤の部位でセンサに結合する可能性があり、センサ表面に複合体が形成される。即ち、捕捉された分析物がセンサ表面に固定される。未結合の分析物を除去した後、センサ表面のこの結合複合体（即ち、目的の固定化分析物）の存在が、例えば標識された二次捕捉剤を用いて、検出される。
【０１４１】
目的の特異的分析物検出の適用例としては、核酸捕捉剤が用いられるハイブリダイゼーションアッセイ、およびポリペプチド、例えば抗体が用いられる蛋白質結合アッセイが挙げられる。これらのアッセイでは、試料が最初に調製され、試料の調製に続いて、試料が特異的結合条件下で標題のナノセンサと接触され、これによりセンサ表面に結合された捕捉剤に相補的な標的核酸またはポリペプチド（または他の分子）の間に、複合体が形成される。
【０１４２】
一実施形態において、捕捉オリゴヌクレオチドは、一方の端部がチオール化された２０〜１００塩基長の合成一本鎖ＤＮＡである。これらの分子は、ナノデバイス表面に固定されて、固定された捕捉ＤＮＡに相補的な配列を有する標的一本鎖ＤＮＡ（少なくとも５０ｂｐ長であってもよい）を捕捉する。ハイブリダイゼーション反応の後、配列が標的ＤＮＡの未占有の核酸に相補的である検出一本鎖ＤＮＡ（２０〜１００ｂｐ長であってもよい）を付加して、標的とハイブリダイズする。検出ＤＮＡは蛍光標識に結合された一方の端部を有し、その発光波長はナノデバイスのプラズモン共鳴内である。それゆえ、ナノデバイス表面からの蛍光発光を検出することにより、標的とされる一本鎖ＤＮＡを正確に検出し、定量化できる。捕捉および検出ＤＮＡの長さは、融解温度（ヌクレオチド鎖は融解温度を超えると分離する）、誤対合の度合い（鎖が長い程、誤対合が少ない）を決定する。相補的結合のために長さを選択する際の関心事の１つは、融解温度を可能な限り高く保持しながら誤対合を最小限に抑える必要性に依存する。さらに、ハイブリダイゼーション長の全長が、最適なシグナル増幅を実現するために決定される。
【０１４３】
標題のセンサは、（ａ）疾患または状態を有することが疑われる患者から液体試料を得ること、（ｂ）試料を標題のナノセンサと接触させることであって、ナノセンサの捕捉剤が疾患のバイオマーカと特異的に結合し、接触はバイオマーカと捕捉剤との特異的結合に適した条件下で実施される、接触させること；（ｃ）捕捉剤に結合していない任意のバイオマーカを除去すること；および（ｄ）ナノセンサに結合したままのバイオマーカから光シグナルを読み取ることであって、光シグナルは患者が疾患または状態を有することを示す、読み取ること、とを含む疾患または状態を診断する方法であって、バイオマーカが捕捉剤に結合される前または結合された後に、バイオマーカを発光標識で標識すること、を更に含む、方法において用いられ得る。以下により詳細に記載される通り、患者は癌を有することが疑われる可能性があり、かつ抗体は癌のバイオマーカに結合する。別の実施形態において、患者は神経障害を有することが疑われ、かつ抗体は神経障害のバイオマーカに結合する。
【０１４４】
標題のセンサの適用例としては、非限定的に、（ａ）ある特定の疾患、例えば感染および寄生虫疾患、傷害、心臓血管疾患、癌、精神障害、神経精神病障害および器質性疾患、例えば肺疾患、腎臓疾患のステージに相関する化学化合物もしくは生体分子の検出、精製および定量化、（ｂ）環境、例えば水、土壌、もしくは生物学的試料、例えば組織、体液から得られる微生物、例えばウイルス、真菌および細菌の検出、精製および定量化、（ｃ）食品安全性もしくは国家保安への脅威を有する化学化合物もしくは生物学的試料、例えば有毒廃棄物、炭疽の検出、定量化、（ｄ）医学的もしくは生理学的モニタにおけるバイタルパラメータ、例えばグルコース、血中酸素レベル、総血球数の定量化、（ｅ）生体試料、例えば細胞、ウイルス、体液から得られた特定のＤＮＡもしくはＲＮＡの検出および定量化、（ｆ）ゲノム解析のための染色体およびミトコンドリア中のＤＮＡの遺伝子配列のシーケンシングおよび比較、または（ｇ）例えば医薬品の合成もしくは精製の間の、反応生成物の検出、が挙げられる。
【０１４５】
検出は、細胞、組織、体液、および糞便などの様々な試料マトリクス中で実施され得る。目的の体液としては、非限定的に、羊水、房水、硝子体液、血液（例えば、全血、血液画分、血漿、血清など）、母乳、脳髄液（ＣＳＦ）、耳垢（耳糞）、乳び、消化粥、内リンパ、外リンパ、便、胃酸、胃液、リンパ、粘液（鼻漏および痰を含む）、囲心腔液、腹腔液、胸膜液、膿、粘膜分泌液、唾液、皮脂（皮膚の油）、精液、喀出物、汗、滑液、涙液、嘔吐物、尿および呼気凝縮液が挙げられる。
【０１４６】
いくつかの実施形態において、標題のバイオセンサは、試料中の病原体から標的核酸を検出することにより、病原体感染を診断するのに用いることができる。標的核酸は、例えばヒト免疫不全ウイルス１および２（ＨＩＶ−１およびＨＩＶ−２）、ヒトＴ細胞白血病ウイルスおよび２（ＨＴＬＶ−１およびＨＴＬＶ−２）、呼吸系発疹ウイルス（ＲＳＶ）、アデノウイルス、Ｂ型肝炎ウイルス（ＨＢＶ）、Ｃ型肝炎ウイルス（ＨＣＶ）、エプスタイン・バー・ウイルス（ＥＢＶ）、ヒト乳頭腫ウイルス（ＨＰＶ）、水痘帯状疱疹ウイルス（ＶＺＶ）、サイトメガロウイルス（ＣＭＶ）、単純ヘルペスウイルス１および２（ＨＳＶ−１およびＨＳＶ−２）、ヒトヘルペスウイルス８（ＨＨＶ−８、カポジ肉腫ヘルペスウイルスとしても公知）および黄熱病ウイルス、デングウイルス、日本脳炎ウイルスおよび西ナイルウイルスを含むフラビウイルスを含む群より選択されるウイルス由来であってよい。しかし、本発明は前述のウイルスから得られるＤＮＡ配列の検出に限定されず、獣医学および／またはヒト医学において重要な他の病原体に何の問題もなく適用できる。
【０１４７】
ヒト乳頭腫ウイルス（ＨＰＶ）は、それらのＤＮＡ配列相同性に基づき、７０を超える異なる型に更に細分化される。これらの型は異なる疾患を誘発する。ＨＰＶ１型、２型、３型、４型、７型、１０型および２６〜２９型は、良性の疣贅を誘発する。ＨＰＶ５型、８型、９型、１２型、１４型、１５型、１７型および１９〜２５型および４６〜５０型は、免疫系の弱い患者において病変を引き起こす。６型、１１型、３４型、３９型、４１〜４４型および５１〜５５型は、生殖器領域および呼吸管の粘膜に良性尖形疣贅を誘発する。ＨＰＶ１６型および１８型は、生殖器粘膜の上皮異形成を誘発し、子宮頸部、膣、陰門、および肛門管の浸潤癌の高割合に関連することから、特別な医療的関心を集めている。ヒト乳頭腫ウイルスのＤＮＡの組み込みは、子宮頸癌の発癌性に決定的であるとみなされている。ヒト乳頭腫ウイルスは、例えばそのカプシド蛋白質Ｌ１およびＬ２のＤＮＡ配列から検出され得る。したがって本発明の方法は、癌の発生リスクを評価するための、組織試料中のＨＰＶ１６型および／または１８型のＤＮＡ配列の検出に特に適する。
【０１４８】
いくつかの例において、ナノセンサを用いて、低濃度で存在するバイオマーカを検出してもよい。例えばナノセンサを用いて、例えば容易に入手可能な体液（例えば、血液、唾液、尿、涙液など）中の癌抗原を検出してもよく、容易に入手可能な体液中の組織特異的疾患のバイオマーカ（例えば、神経障害（例えば、アルツハイマー病の抗原）のバイオマーカ）を検出してもよく、感染を検出してもよく（特に低力価の潜伏ウイルス、例えばＨＩＶの検出）、母体血中の胎児性抗原を検出してもよく、かつ対象の血流中の外来性化合物（例えば、薬物または汚染因子）を検出してもよい。
【０１４９】
以下の表に、標題のナノセンサ（適切なモノクローナル抗体と併用される場合）を用いて検出され得る蛋白質バイオマーカおよび関連の疾患の列挙を示す。バイオマーカの１つの潜在的供給源（例えば、「ＣＳＦ」；脳脊髄液）も表中に示す。多くの場合、標題のバイオマーカにより、示された異なる体液中のバイオマーカを検出できる。例えばＣＳＦ中に見出されるバイオマーカは、例えば尿、血液または唾液中で同定され得る。
【０１５０】
【表１】
0006301311.tif 000002
0006301311.tif 000003
【０１５１】
先に記載された通り、表題のナノセンサを用いて、試料中の核酸を検出できる。標題のナノセンサは、様々な創薬に用いることができ、また先に記載された診断適用に加えて研究適用に用いることができる。例えば標題のナノセンサは、非限定的に、疾患または状態の診断またはモニタリング（核酸の存在が疾患または状態のバイオマーカを提供する場合）、薬物ターゲットの発見（例えば核酸が疾患または状態において異なって発現され、薬物治療の標的となり得る場合）、薬物スクリーニング（核酸レベルを評価することにより、薬物の作用がモニタリングされる場合）、薬物感受性の決定（薬物感受性が核酸の特定のプロファイルと関連する場合）および基本的検査（試料中の核酸の存在を同定すること、またはある特定の実施形態において、２つ以上の試料において特定核酸の相対レベルを同定することが望ましい場合）をはじめとし、様々な適用例に用いられ得る。
【０１５２】
ある特定の実施形態において、２つ以上の異なる核酸試料中の相対的核酸レベルは、先の方法を利用して得られ、比較されてもよい。これらの実施形態において、上記方法から得られる結果は通常、試料中の核酸（例えば、構成的ＲＮＡ）の総量に標準化され、比較される。これは、比率を比較すること、または任意の他の手段により実施されてもよい。特定の実施形態において、２つ以上の異なる試料の核酸プロファイルを比較して、特定疾患または状態に関連する核酸を同定してもよい。
【０１５３】
いくつかの例において、異なる試料は、「実験的」試料、即ち目的の試料と、実験的試料を比較し得る「対照」試料とからなり得る。多くの実施形態において、異なる試料は、細胞型またはその画分の対であり、一方の細胞型は、目的の細胞型、例えば異常細胞であり、他方は対照細胞、例えば正常細胞である。２つの細胞画分を比較する場合、画分は通常、２種の細胞それぞれから得られた同じ画分である。しかしある特定の実施形態において、同じ細胞の２つの画分が、比較されてもよい。例示的な細胞型の対としては、例えば組織生検から単離された細胞（例えば、結腸癌、乳癌、前立腺癌、肺癌、皮膚癌などの疾患を有する組織、または病原体などに感染した組織から得たもの）と、通常は同じ患者からの、同じ組織の正常細胞；不死であり（例えば、増殖性突然変異または不死化導入遺伝子を有する細胞）、病原体に感染した、または処置された（例えば、ペプチド、ホルモン、温度変化、増殖条件、物理的ストレス、細胞形質転換など、環境または化学剤による）組織培養で増殖された細胞と、正常細胞（例えば、不死でないこと、感染されていないこと、または処置されていないこと以外は実験的細胞と同一である細胞）；癌、疾患を有する哺乳動物、老齢の哺乳動物、または状態に暴露された哺乳動物から単離された細胞と、健常または若齢の同じ種の、好ましくは同じ族の、哺乳動物から得た細胞；および同じ哺乳動物からの分化細胞と非分化細胞（例えば、哺乳動物の一方の細胞が、他方の前駆細胞である）、が挙げられる。一実施形態において、異なる型の細胞、例えば神経細胞と非神経細胞、または異なる状態（例えば、細胞への刺激前および刺激後）の細胞が、用いられてもよい。本発明の別の実施形態において、実験的材料は、ウイルス、例えばヒト免疫不全ウイルス（ＨＩＶ）などの病原体による感染を受け易い細胞であり、対照材料は、病原体による感染に耐性のある細胞である。本発明の別の実施形態において、試料の対は、未分化細胞、例えば幹細胞と、分化細胞により表される。
【０１５４】
前述の実施形態は、理解を明瞭にする目的で図示および実施例によりいくらか詳細に記載されたが、添付の特許請求の範囲の主旨または範囲を逸脱せずに、それらにある特定の変更および修正を施し得ることは、先の教示を参照することで当業者に即座に明白となろう。
【実施例】
【０１５５】
本発明の教示の態様を、以下の実施例を参照して更に理解することができるが、実施例は、本発明の教示の範囲を限定するものと決して理解されるべきではない。
【０１５６】
以下の実施例は、プロテインＡと、近赤外染料（ＩＲＤｙｅ８００ＣＷ）のタグを付けたヒト免疫グロブリンＧ（ＩｇＧ）とを用いたイムノアッセイの蛍光および検出感度を、分子スペーサの自己集合化単層（ＳＡＭ）を有する新しいプラズモン構造Ｄ２ＰＡを利用して測定した方法の説明を示す。Ｄ２ＰＡ上のイムノアッセイの平均蛍光は、ガラスプレート上で実施された同一アッセイと比較して、７，４００倍増大され、検出感度は３，０００，０００倍増大される（検出限界は０．９ｎＭから０．３ｆＭに低下される）。更に、蛍光増大の平均は、８桁のダイナミックレンジ（１００ｎＭ〜１ｆＭ）を有し、大きな試料エリア全体で均一であり、空間変動は±９％である。単一分子のフルオロフォアが、Ｄ２ＰＡの「ホットスポット」に配置されると、その蛍光は４×１０６倍増大され、平均増大量および検出感度が有意に更に上昇する可能性が示される。観察された増大は、過去に報告されたものよりも桁違いに大きい。大幅な増大は、現行のプラズモン構造設計におけるいくつかの重要な欠点を克服し得るＤ２ＰＡの独特の３Ｄ構成に加え、薄いＳＡＭ分子スペーサの使用に起因する。Ｄ２ＰＡは、溶液中のバイオマーカを、プラズモン構造のホットスポットに濃縮し得ることも考えられ、そのことが増大を更に改善し得る。Ｄ２ＰＡプレートの作製方法は単純であり、安価で、自在に拡大縮小できる。良好な空間的均一性、広いダイナミックレンジ、および製造の容易さを合わせれば、イムノアッセイの蛍光および検出感度における大幅な増大は、生物学的試験、医療診断、および多くの他の実践において広い用途を有するに違いない。
【０１５７】
材料と方法Ｉ
プラズモン構造。本明細書に記載されたプラズモン構造は、「ディスク・カップルド・ドット・オン・ピラー・アンテナアレイ（Ｄ２ＰＡ）」とも称され、内側に高密なプラズモンナノドットを備えた高密な三次元（３Ｄ）共鳴空洞ナノアンテナのアレイと、金属構成要素を連結するナノギャップと、を有する（図７に図示；Ｌｉ  ｅｔ  ａｌ  Ｏｐｔｉｃｓ  Ｅｘｐｒｅｓｓ  ２０１１  １９，３９２５−３９３６も参照）。３Ｄアンテナは、光の受信および放射の効率を大きく上昇させ、金属ナノドットおよびナノギャップは更に、光を小さな領域に「集束」させて、局所電場を増加させ、その高い密度が平均増大および均一性を上昇させる。特にＤ２ＰＡは、周期的な非金属（例えば、誘電体または半導体）ピラーアレイ（ピッチ２００ｎｍ、直径約１００ｎｍおよび高さ約６５ｎｍ）と、各ピラーの上部の金属ディスク（直径約１３５ｎｍ）と、ピラーの底部の金属バックプレーンと、ピラーの壁上に無作為に配置された金属ナノドットと、これらの金属構成要素の間のナノギャップと、からなる（図７）。ディスクアレイおよびバックプレーン（両者とも５５ｎｍ厚）は、励起光を垂直方向および側方に効率的に捕捉し得る３Ｄ空洞アンテナを形成する。ナノドットは約５〜２０ｎｍの直径を有し、それらとナノディスクの間のナノギャップは１〜１０ｎｍである。各ピラーは、ピラーの幾何学配置に応じて約１０〜５０個のナノドットを有し、ピラー密度は２．５×１０９ピラー／ｃｍ２である。ピラーおよび金属ディスクの厳密な直径および高さは、励起レーザおよび蛍光の波長に適合するように最適化され、プラズモン増大におけるＤ２ＰＡの各要素の役割は、他で議論されている（Ｌｉ  ｅｔ  ａｌ  Ｏｐｔｉｃｓ  Ｅｘｐｒｅｓｓ  ２０１１  １９，３９２５−３９３６）。
【０１５８】
ナノインプリント（トップダウン）を自己整列自己集合化（ボトムアップ）と組み合わせたナノファブリケーションアプローチにより、Ｄ２ＰＡ構造を４’’ヒューズドシリカウェハー上に作製した。最初にピラーを、ナノインプリントおよび反応性イオンエッチングによりシリカウェハー内にパターン化した。その後、薄い金層をウェハー上に、ウェハー表面に対して法線方向に蒸着させて、金ナノディスクをピラー上部に、金バックプレーン、およびピラー側壁に金ナノドットを、同時に析出させた。ピラー側壁に付着した金は、ナノディスクの上部およびバックプレーンのそれよりもかなり薄い。そのような薄い金は高い蒸着温度では不安定で拡散し、ＳｉＯ２表面での金の非湿潤性も加わることで、金はナノドットに自己集合化し、ナノドットは間に小さな空隙を含みながら、金ナノディスクに隣接して正確に自己整列する。Ｄ２ＰＡ構造および作製についての他の詳細は、他に記載される（Ｌｉ  ｅｔ  ａｌ，上記文献；Ｃｈｏｕ  ｅｔ  ａｌ  Ｓｃｉｅｎｃｅ  １９９６  ２７２：８５−８７およびＣｈｏｕ  ｅｔ  ａｌ  Ａｐｐｌｉｅｄ  Ｐｈｙｓｉｃｓ  Ｌｅｔｔｅｒｓ  １９９５  ６７：３１１４−３１１６、それらの教示については全てが参照により組み入れられる）。
【０１５９】
図２０に、ナノデバイス・ディスク・カップルド・ドット・オン・ピラー・アンテナアレイ（Ｄ２ＰＡ）の走査電子顕微鏡像を示す。直径７０ｎｍの金属ディスクと、側壁にある５ｎｍ〜３０ｎｍの範囲のサイズの金属ドット構造と、を有する同じＤ２ＰＡの（Ａ）上面図および（Ｂ）側面図。そして直径１００ｎｍの金属ディスクと、側壁にある１ｎｍ〜１５ｎｍの範囲のサイズの金属ドット構造と、を有するもう１つのＤ２ＰＡの（Ｃ）上面図および（Ｄ）側面図。（Ｃ）において、４つのディスクのうちの２つが、欠如している。両方のＤ２ＰＡは、２００ｎｍの周期を有する。
【０１６０】
イムノアッセイ、フルオロフォア、接着層および参照。蛍光および検出感度の増大の試験に利用したイムノアッセイはプロテインＡおよびヒト免疫グロブリンＧ（ＩｇＧ）の直接アッセイであったが、これはそのような試験の最も簡単なモデルアッセイとして広く用いられている。固体プレート表面のプロテインＡは、赤外蛍光染料（ＩＲＤｙｅ８００ＣＷ（Ｌｉ−ＣＯＲ））で既に標識されている溶液中のＩｇＧ（標的分析物）を捕捉する捕捉剤として働き、こうして追加の検出剤を利用する必要はなかった。プロテインＡは、強力なＦｃ（フラグメント、結晶化可能）結合を通してヒトＩｇＧを捕える。その後、溶液中のＩｇＧの濃度を、その蛍光標識を測定することにより定量化した。
【０１６１】
プロテインＡは、Ｄ２ＰＡプレートでは金属表面に十分に結合しないため、金属とプロテインＡの間に追加の接着層を用いた。この接着層は、追加の材料をスペーサに付加し、プラズモンの増大を潜在的に減弱し得る。プロテインＡの金属（本発明では金）への良好な結合を提供しながら総スペーサ厚を限定するために、本発明者らは、ジチオビススクシンイミジルウンデカノアート（ＤＳＵ）の自己集合化単層（ＳＡＭ）を接着層として使用した。ＤＳＵ分子は、金表面に強力に結合するスルフィドの一方の端部と、プロテインＡのアミン基に良好に結合するＮ−ヒドロキシスクシンイミド（ＮＨＳ）エステル基のもう一方の端部と、を有する２６。ＳＡＭは、厚さ約１．７ｎｍ、屈折率ｎ＝１．５０であった。プロテインＡの層が４．８ｎｍと推定されることを合わせると、総スペーサ厚は，６．５ｎｍである。
【０１６２】
Ｄ２ＰＡプレートのイムノアッセイ蛍光増大測定との比較のために、本発明者らは、参照として単純で平坦なガラスプレートを用いた。Ｄ２ＰＡプレートおよび参照でのイムノアッセイは、同じ手法および同じバッチで調製した。
【０１６３】
フルオロフォア標識の調製およびイムノアッセイ。  ヒトＩｇＧ（Ｒｏｃｋｌａｎｄ  Ｉｍｍｕｎｏｃｈｅｍｉｃａｌｓ）を、自前で赤外蛍光染料ＩＲＤｙｅ８００ＣＷで標識した。反応性の染料をＩｇＧ溶液と混合し、それらを暗所環境において２０℃で２時間反応させることにより、染料分子上のＮＨＳエステル基をＩｇＧ上のアミン基に連結させた。脱塩スピンカラム（Ｐｉｅｒｃｅ  Ｚｅｂａ）を利用して、遊離染料を緩衝液の交換により分離した。各ＩｇＧは、平均で１．３個のＩＲＤｙｅ８００ＣＷ分子を有する。
【０１６４】
Ｄ２ＰＡ上にＤＳＵ  ＳＡＭをコーティングするために、プレートを１，４−ジオキサン（Ｓｉｇｍａ−Ａｌｄｒｉｃｈ）中の０．５ｍＭＤＳＵ（同仁化学研究所、日本）の溶液に浸漬して、密閉容器内で室温で一晩インキュベートし、ＳＡＭスペーサを形成させた。インキュベーションの後、それらを１，４−ジオキサンで十分にすすぎ、アルゴンガスで乾燥させて、プロテインＡ固定化の準備を整えた。
【０１６５】
リン酸緩衝生理食塩水（ＰＢＳ）緩衝溶液（ｐＨ＝７．４、Ｓｉｇｍａ−ａｌｄｒｉｃｈ）中のプロテインＡ（Ｒｏｃｋｌａｎｄ  Ｉｍｍｕｎｏｃｈｅｍｉｃａｌｓ）をＤ２ＰＡおよび参照プレートに滴下し、各プレートを密閉容器において室温で１２０分間インキュベートした。その後、プレートを洗浄溶液（Ｒ＆Ｄ  ｓｙｓｔｅｍｓ）で１５分間ずつ３回洗浄して、未結合分子を除去した。プロテインＡをコーティングした後、本発明者らは、試験のためにプレートを５ｍｍ×５ｍｍの正方形断片に切断した。その後、ＰＢＳ溶液中の蛍光標識ＩｇＧを、プロテインＡ層に滴下し、密閉容器において室温で６０分間インキュベートした。同じ手法でもう一度洗浄した後、プレートを脱イオン水の一定の流れの中で穏やかにすすいで、任意の塩物質を除去した。アルゴンガスで乾燥させた後、プレートを直ちに光学測定した。
【０１６６】
プレート上のＩｇＧ濃度を正確に制御するために、本発明者らはまず、原液を系列希釈することにより（±０．６％の最大誤差を有する分注ピペットを使用）１μＭ〜１０ａＭの異なる濃度のＰＢＳ溶液中ＩｇＧを調製する。その後、本発明者らは、個々の正方形断片（それぞれ５ｍｍ×５ｍｍ）に各濃度の３μＬ溶液を正確に滴下した。プレート上部表面を完全に湿潤させた後に溶液層がプレートの裏側にこぼさないようにするために、３μＬ体積を選択する。
【０１６７】
光学測定。Ｄ２ＰＡプレートおよび参照プレートでのイムノアッセイの平均蛍光を、市販のレーザ走査型共焦点分光計（ＡＲＡＭＩＳ，Ｈｏｒｉｂａ  Ｊｏｂｉｎ  Ｙｖｏｎ）を用いてレーザ励起７８５ｎｍで測定した。該システムは、励起レーザ光線を試料表面で法線方向に集束する顕微鏡レンズを使用し、発生した蛍光を集めるのに同じレンズを使用している。レーザ光線は、レーザスポットサイズ（回折限界焦点（ｄｉｆｆｒａｃｔｉｏｎ  ｌｉｍｉｔｅｄ  ｆｏｃａｌ  ｐｏｉｎｔ））から１００μｍ×１００μｍまで変動し得る「レーザスキャンエリア」と称されるエリアにわたり励起を均質化する急速なラスタスキャニング（走査型ガルボミラーシステムによる）であった。ｘ−ｙステージを利用したレーザスキャンエリアのステップ・アンド・リピートにより、試料エリアの２０ｍｍ×２０ｍｍまで自動で測定できる。試料の光シグナルを、スペクトル測定のために回折格子とＣＣＤとからなる分光計に送信した。典型的には、本発明者らは、１０倍対象物（開口数（Ｎ．Ａ．）＝０．２５）、および１００μｍ×１００μｍレーザスキャンエリアを使用した。単一分子蛍光を測定するために、励起エリアに及ぶ光シグナルの２Ｄマップを与える別の光学装置を使用した。
【０１６８】
結果と考察Ｉ
Ｄ２ＰＡプレートのプラズモン共鳴。プラズモン共鳴が励起レーザの波長（７８５ｎｍ）と同時にイムノアッセイで用いられた蛍光染料（ＩＲＤｙｅ８００ＣＷ）の吸収および発光ピークの波長（それぞれ７８０ｎｍおよび８００ｎｍ）に近くなるように、Ｄ２ＰＡナノ構造を最適化した。Ｄ２ＰＡの吸収は、白色光源を用いて透過（Ｔ）および反射（Ｒ）スペクトルを測定することにより得て、それぞれガラスプレート（Ｔ＝９４％）および銀鏡標準（Ｒ＝９８％）で実施された同じ測定に較正した。吸光度（１−Ｔ−Ｒ）は、任意の分子コーティングを有さずに最適化されたＤ２ＰＡプレートでは、７９５ｎｍで９７％の共鳴ピークおよび１４５ｎｍの共鳴半値全幅（ＦＷＨＭ）であることが見出された。イムノアッセイの適用後、ピーク吸光度は９８％になり、共鳴ピークは、７８８ｎｍにわずかに青色シフトし、ＦＷＨＭは１６５ｎｍでわずかにより広い（図８）。一般的な赤色シフトではなく青色シフトであったことは、別のプラズモン装置でも観察され、表面プラズモンからの振動分極を破壊的に干渉する負の分子分極率に起因した。
【０１６９】
大きなエリアの７，４００倍を超える平均蛍光増大と良好な均一性（±９％偏差）。Ｄ２ＰＡプレートおよび参照（平坦なガラスプレート）でのプロテインＡ／ＩｇＧイムノアッセイの典型的な蛍光スペクトルを図９に示す。いずれのスペクトルも１０ｎＭ蛍光標識Ｉｇおよびレーザスキャンエリア１００μｍ×１００μｍのアッセイで測定した。レーザ出力および検出器の積分時間は、Ｄ２ＰＡでは３μＷおよび１秒であり、参照ガラスプレートでは２１２μＷおよび８秒であったが、図９でのプロッティングでは標準化されている。ガラスの参照試料に比較して、Ｄ２ＰＡでのイムノアッセイの蛍光強度は有意に増大している。その一方で蛍光ピーク波長は同じ（８００ｎｍ）であり、半値全幅（ＦＷＨＭ）は参照とほぼ同じ（約３０ｎｍ）であるが、このことは、Ｄ２ＰＡのプラズモン共鳴が７８８ｎｍで最適化されたピークおよび約１６５ｎｍのＦＷＨＭを有し、それは染料蛍光ピークより５倍広く、したがってプラズモン増大係数をＩＲＤｙｅ８００ＣＷ蛍光の波長範囲全体でほぼ一定にしているという事実によるものである。
【０１７０】
参照（ガラスプレート）に対する、Ｄ２ＰＡプレートでのイムノアッセイの平均蛍光増大は、
【数１】
0006301311.tif 000004
（式中、ＩＥＸＣ．ＲＥＦおよびＩＥＸＣ．Ｄ２ＰＡは、レーザ励起の強度であり、ＩＦｌｕｏ．ＲＥＦおよびＩＦｌｕｏｒ．Ｄ２ＰＡは、それぞれ参照プレートおよびＤ２ＰＡプレートで測定された平均蛍光強度である）により得られた。本発明者らが、参照およびＤ２ＰＡの両方で同じＩｇＧ濃度を利用して平均蛍光増大量を測定したことに留意されたい。これは、異なるＩｇＧ濃度の効果により生じる誤差を避けるためである。更に、平均精度を確保するために、１つの試料で合計で少なくとも５ヶ所の異なるレーザスキャンエリア（それぞれ１００μｍ×１００μｍ）を測定した。
【０１７１】
先のアプローチを利用して、１０ｎＭ蛍光標識ＩｇＧにおいてＤ２ＰＡプレートの測定された平均蛍光増大は、蛍光ピークの比較では参照の７，４４０倍であり、蛍光強度を蛍光スペクトルのＦＷＨＭで積分すると７，２２０倍であった。図９から、平均蛍光増大スペクトルが蛍光スペクトルよりもかなり広いＦＷＨＭを有することが示され、観察されたＤ２ＰＡプラズモン共鳴スペクトルと一致する（図８）。蛍光標識ＩｇＧ濃度１００ｎＭでは、平均ピーク増大は８，４６０倍である。この実施例で観察された免疫アッセイの蛍光増大は、イムノアッセイにおける過去のプラズモン増大蛍光よりも２桁高い（Ｚｈａｎｇ  ｅｔ  ａｌ  Ｏｐｔｉｃｓ  Ｅｘｐｒｅｓｓ  ２００７  １５  ２５９８−２６０６；Ｔａｂａｋｍａｎ  ｅｔ  ａｌ  Ｎａｔｕｒｅ  Ｃｏｍｍｕｎｉｃａｔｉｏｎｓ  ２０１１  ２：４６６）。
【０１７２】
Ｄ２ＰＡの別の重要な特徴は、大きなエリアにわたる巨大な平均蛍光増大の均一性である。Ｄ２ＰＡプレートの均一性は、１０ｎＭ蛍光標識ＩｇＧ濃度の蛍光強度をＤ２ＰＡプレートの５ｍｍ×５ｍｍエリア全体でマッピングすることにより測定した。マッピングにおいて「タイル」と呼ばれるレーザスキャンエリア（１００μｍ×１００μｍ）を用い；したがって合計２，５００のタイル（５０×５０）が存在する（図１０ａ）。レーザ出力は３μＷであり、タイルあたりの積分時間は１秒であった。マッピング測定について実施した統計解析により、そのような大きな試料表面にわたる平均蛍光増大が７，０００倍であり、偏差（ガウス分布の偏差として定義）が１８％即ち平均±９％であり、どの部分も非常に均一であることが示された（図１０ｂ）。
【０１７３】
先の測定で用いられたレーザ励起出力密度および励起時間では、飽和または顕著なブリーチングのいずれも観察されず、このことは正確な増大測定を確保するために肝要である。実際に、Ｄ２ＰＡおよび参照試料の両方の蛍光シグナルは、広範囲のレーザ出力密度および染料濃度にわたり直線性があり、飽和を示さないことが見出されている。更に、時間に対する蛍光測定から、用いられたレーザ強度の下では、本発明者らが使用した典型的な測定時間よりもかなり長い期間でさえも、顕著なブリーチングは存在しないことが示された。
【０１７４】
フェムトモル以下の検出感度および広いダイナミックレンジ。臨床診断適用において、検出感度（即ち、検出限界（ＬｏＤ））およびダイナミックレンジは、蛍光増大係数よりも実用的意義を有する。これらを試験するために、本発明者らは、１μＭ〜１０ａＭ（系列希釈係数１０）の異なるＩｇＧ濃度で調製されたＤ２ＰＡおよび参照によるイムノアッセイの蛍光シグナルを測定した。広く受け入れられている標準を利用して決定したＬｏＤは、バックグランド光学ノイズ＋その標準偏差（即ち、平均平方根偏差）の三倍に等しい蛍光シグナルに対応するＩｇＧ濃度である。本発明者らの実験では、バックグランド光学ノイズは、ブランク試料についてＩｇＧ入りの試料と厳密に同じ光学測定（即ち、同じ光学装置、試料エリア、レーザ出力および積分時間）を実施することにより得た。ブランク試料は、蛍光標識ＩｇＧを滴下する通常のステップを、純粋な緩衝液（即ち、ＩｇＧを含まない）の滴下に置き換えたこと以外は、同じ調製プロトコルを利用して同一の基板上に調製した。
【０１７５】
図１１は、Ｄ２ＰＡおよび参照に結合した蛍光標識ＩｇＧ濃度に対する蛍光シグナルの対数プロット（応答曲線）を示す。エラーバーは、各濃度の５箇所の異なる試料エリアでの測定値から計算された標準偏差である。ＬｏＤを決定するために、本発明者らは最初に５パラメータのロジスティック回帰モデルを用いてフィッティング曲線を作成し、測定されたポイントの間のデータポイントを外挿した。Ｄ２ＰＡプレートでのイムノアッセイのＬｏＤは０．３ｆＭ（３×１０−１６Ｍ）であることが見出され、ダイナミックレンジ（蛍光がＩｇＧ濃度と直線性がある場合）は８桁を超える（１μＭ〜１ｆＭ）（図１１）。その一方で、参照プレート（平坦なガラスプレート）において実施された同一のイムノアッセイのＬｏＤは、０．９ｎＭ（０．９×１０−９Ｍ）であることが見出された。それゆえ検出感度は、ガラスプレートと比較して、Ｄ２ＰＡプレートでは３，０００，０００倍（６桁超）増大している。この検出感度の増大は、プラズモン構造を用いた過去の実験の二桁を超える増大である（Ｚｈａｎｇ  ｅｔ  ａｌ  Ｏｐｔｉｃｓ  Ｅｘｐｒｅｓｓ  ２００７  １５  ２５９８−２６０６；Ｔａｂａｋｍａｎｅｔ  ａｌ  Ｎａｔｕｒｅ  Ｃｏｍｍｕｎｉｃａｔｉｏｎｓ  ２０１１  ２：４６６）。
【０１７６】
ホットスポットにおける単一分子フルオロフォアの４×１０６倍までの蛍光増大。蛍光および検出感度を更に増大する可能性を模索するために、イムノアッセイの蛍光増大を、Ｄ２ＰＡの「ホットスポット」（即ち、局所電場が最も強力な領域）に配置された単一標識ＩｇＧ分子から測定した。そのような単一分子蛍光は、ＩｇＧ分子が互いにかなり離れていて（即ち、非常に低いＩｇＧ濃度の場合）高感度のＣＣＤカメラが用いられる場合に、可視となり得る。
【０１７７】
１００ｐＭのＩｇＧ濃度を用いて、２つの固定化ＩｇＧ間の平均距離が約４２０ｎｍである単一分子蛍光を試験した。４０倍対物レンズ（Ｎ．Ａ．＝０．６）を有する倒立顕微鏡（Ｎｉｋｏｎ、米国）を用いて、イムノアッセイの二次元蛍光をマッピングした。７８５ｎｍレーザ光線を均一に拡大して、Ｄ２ＰＡプレート上で５０μｍ×５０μｍエリアを照射した。５１２×５１２ピクセル解像度（つまり所与のレーザスキャニングエリアで、１ピクセルあたり約３９０ｎｍ）の電子倍増型電荷結合素子（ＥＭ−ＣＣＤ、Ａｎｄｏｒ）により映像を連続で回収した。そのＣＣＤピクセルサイズで、光学回折限界（レイリー基準による決定で０．８μｍ）で撮影された蛍光強度分布をオーバーサンプリングする。
【０１７８】
Ｄ２ＰＡプレート上の１００ｐＭ蛍光標識ＩｇＧの蛍光画像（図１２ａ）から、均一なバックグランド内に無作為に分布した明白な蛍光の「輝点」が観察された。時間関数としての各輝点の蛍光強度は、二段階の挙動を有することを示しており（図１２ｂ）、このことは、Ｄ２ＰＡのホットスポットまたはその付近の単一分子が最初に蛍光を発し、その後ブリーチされることを示している。
【０１７９】
ホットスポットの単一分子の蛍光増大係数ｇＨｏｔｓｐｏｔを推定するために、本発明者らは２つの方法を用いた。第一の方法では、ｇＨｏｔｓｐｏｔは、参照試料における１分子あたりの平均蛍光シグナル（参照試料における単位エリアあたりの平均ＩｇＧ分子数ｎＲｅｆ．Ａｖｅで割った、参照試料におけるエリア平均蛍光強度ＩＲｅｆ．Ａｖｇと等しい）に対する、Ｄ２ＰＡの「ホットスポット」での単一分子蛍光シグナルＳＨｏｔ.ｓｐｏｔの比である：
【数２】
0006301311.tif 000005
（式中、ＩＥｘｃ．Ｄ２ＰＡおよびＩＥｘｃ．Ｒｅｆは、それぞれＤ２ＰＡおよび参照プレートの励起強度である。図１２（ａ）によれば、ＳＨｏｔｓｐｏｔ＝１，２００カウント、ＩＲｅｆ．Ａｖｇ＝３，０８８カウント／μｍ２、ｎＲｅｆ．Ａｖｅ＝７．２２×１０５分子／μｍ２、ＩＲｅｆ．ＥxＣ＝１．７４ｍＷおよびＩＥＸＣ．Ｄ２ＰＡ＝１１０μＷ。本発明者らは、蛍光増大がｇＨｏｔｓｐｏｔ＝４．４×１０６であり、「ホットスポット」内の単一分子で報告されたほとんどの蛍光増大よりも３桁大きいことを見出した３１。
【０１８０】
第二の方法では、参照での分子あたりの平均蛍光強度を、蛍光増大係数（ＥＦ）で割った、Ｄ２ＰＡプレートの分子あたりの平均蛍光強度（ＩＤ２ＰＡ．Ａｖｇ／ｎＤ２ＰＡ．Ａｖｇ）から差し引いた。ＥＦの除算で、Ｄ２ＰＡプレートからのシグナルを通常のガラスプレートに合わせて調整する：
【数３】
0006301311.tif 000006
【０１８１】
ＩＤ２ＰＡ．Ａｖｇ＝１９カウント、ＥＦ＝７，２２０、およびｎＡｖｇ約７．２２分子／μｍ２の場合、ｇＨｏｔｓｐｏｔ＝３．２８×１０６であることを本発明者らは見出した。両方の方法とも、単一分子蛍光増大を計算するための一定した結果を与えた。２つの方法の平均から、ｇＨｏｔｓｐｏｔ約４×１０６が得られる。
【０１８２】
アッセイでの蛍光および検出感度の巨大な増大および均一性の成因。特定の理論に拘束されることを望むものではないが、観察された蛍光および検出感度の増大には３つの主な理由があると考えられる。第一の、そして最も重要な理由は、独特のＤ２ＰＡプラズモン構造である。第二は、適切な超薄膜スペーサ層である。そして第三は、Ｄ２ＰＡ構造がバイオマーカをＤ２ＰＡのホットスポットに濃縮し得る可能性である。
【０１８３】
同じく特定の理論に拘束されることを望むものではないが、プラズモン構造Ｄ２ＰＡは、４つの重要因子により蛍光を有意に増大させると考えられる。（１）３Ｄアンテナアレイは、励起光を受光し、蛍光を放射する上で極めて効率的である。図８に既に示された通り、最適化されたＤ２ＰＡの測定吸光度は、７８５ｎｍの励起レーザ波長で約９７％である。良好な光吸収体は、良好な放射体でもある。（２）Ｄ２ＰＡにおける小さな金属ドットおよび小さな空隙は、ＳＥＲＳ試験において既に実証された通り、光を小さな領域に強力に集束して、局所電場を顕著に増大させることができる（Ｌｉ  ｅｔ  ａｌ，上記文献）。ドットおよび空隙が小さい程、集束（および局所電場の増大）が強力になる（Ｓｃｈｕｌｌｅｒ  ｅｔ  ａｌ  Ｎａｔｕｒｅ  Ｍａｔｅｒｉａｌｓ  ２０１０  ９：  １９３−２０４およびＮｉｅ  ｅｔ  ａｌ  Ｓｃｉｅｎｃｅ  １９９７  ２７５：  １１０２−１１０６）。しかし、サブ波長サイズの小さな金属構造が、極めて弱い光吸収体および放射体であることも周知である（Ｆｒｏｍｍ  ｅｔ  ａｌ  Ｎａｎｏ  Ｌｅｔｔｅｒｓ  ２００４  ４  ９５７−９６１およびＦａｒａｈａｎｉ  ｅｔ  ａｌ  Ｐｈｙｓｉｃａｌ  Ｒｅｖｉｅｗ  Ｌｅｔｔｅｒｓ  ２００５  ９５，  ａｒｔｉｃｌｅ  ｎｏ．  ０１７４０２）。つまり、アンテナを有さない小さなドットおよび単独の空隙のみでは良好な蛍光増大構造が作製されない。なぜなら、少量の入射光子を濃縮することはできるが光子のほとんどが廃棄され、近辺で発生した蛍光を離れた場へ効率的に放射できないためである。（３）Ｄ２ＰＡのアンテナとナノ構造とを、それらの間のナノギャップを介して効果的に連結させることで、Ｄ２ＰＡが、光を受容および放射すること、ならびに光を小さなスポットに局所的に集束させること、の両方に効果的になる。そして（４）高密度のアンテナ、ドット、および空隙が、標的分子をより大きなパーセンテージでホットスポット付近に存在させ、それにより蛍光の平均強度および均一性を上昇させ、かつデバイスの幾何学的変化に対する性能感度を低下させることができる。最終的なプラズモン増大は、４つの要因全ての結果生じるものであるため、４つの要因の１つを欠く任意のプラズモン構造は、最終的に不十分なプラズモン増大構造となる可能性があり、それはまさに過去のプラズモン構造のほとんどが陥った問題であり、４つの要因全てを同時に改善するＤ２ＰＡが優れていることを示す的確な理由である。
【０１８４】
全体的なＭＥＦ蛍光を最大にするために、適切な超薄層スペーサ層が、同じ金属による蛍光励起とクエンチングとのバランスを保つうえで重要な役割を担う。Ｄ２ＰＡの金属とフルオロフォアとの間の唯一のスペーサがＳｉＯ２層である（即ち、任意のアッセイ物質を含まない）別の実験において、本発明者らは、ＳｉＯ２厚５ｎｍが、ＭＥＦとクエンチングとの最良のバランスをもたらすことを見出した３０。本発明者らのＤ２ＰＡのアッセイでは全体的なスペーサ層の厚さが６．５ｎｍであり（ＩｇＧを含まない）、かつ効果的誘電率が３であることを考慮すれば、このスペーサは５ｎｍのＳｉＯ２スペーサに非常に近い全体的有効誘電距離（ｔｏｔａｌ  ｅｆｆｅｃｔｉｖｅ  ｄｉｅｌｅｃｔｒｉｃ  ｄｉｓｔａｎｃｅ）を有する。それゆえ、自己集合化接着層ＤＳＵを選択することで、ＭＥＦに適切なスペーシングが提供される。
【０１８５】
Ｄ２ＰＡが溶液中のバイオマーカ（標的分析物）をホットスポット（即ち、局所電場の大きな領域）に濃縮し得るという理論は、推測に過ぎない。３つの可能な理由により、そのような濃縮を説明できる。（１）Ｄ２ＰＡ表面での液体の乾燥は最初にピラー側壁の外側で起こるが、最後は空隙の内側である。このため乾燥中の液体移動が、他の位置から空隙へのバイオマーカの移動をもたらし得る。（２）Ｄ２ＰＡ内の局所的ビルトイン電場がバイオマーカをホットスポットに移動させ得る（バイオマーカが極性分子である場合）。そして（３）ＳＡＭ接着層ＤＳＵが、ＳｉＯ２ではなく金のみに接着し、このことでより多くのプロテインＡを、つまりより多くの蛍光標識ＩｇＧを、金に覆われていないＳｉＯ２側壁よりも金ナノドット上に誘導することができる。
【０１８６】
考察を必要とする２つのより重要な実験的事実がある。（１）測定されたイムノアッセイの蛍光シグナル強度は、バイオマーカの濃度程に急速に降下しない（即ち、１：１比ではない）。このことは、蛍光イムノアッセイでは公知であり、インキュベーション時のＩｇＧのプロテインＡへの結合と、洗浄時のプロテインＡに結合したＩｇＧの損失が、ＩｇＧ濃度の違いにより異なり得る、という事実により生じると考えられる。そして（２）Ｄ２ＰＡによる検出感度（ＬｏＤ）の増大（３，０００，０００）は、１０ｎＭ蛍光標識ＩｇＧでの蛍光増大（７，４００）よりも４００倍を超えて高い。本発明者らは、これを、溶液中のバイオマーカがＤ２ＰＡのホットスポットに濃縮されたためであると推測している。
【０１８７】
プラズモン構造による蛍光増大は染料の固有の量子効率（ＱＥ）に依存し、ＱＥが低い程増大が強くなることが公知であることに、注目すべきである。低いＱＥでは、蛍光増大はＱＥに反比例する。ＩＲＤｙｅ８００ＣＷ染料は７％の量子効率を有し、他のアッセイ実験で用いられた染料のＱＥと同程度である。異なる染料のＱＥの差異を規模調整した場合であっても、観察される平均蛍光増大は、依然として過去の実験よりも２桁高い。
【０１８８】
最後に、ホットスポットでの単一フルオロフォアの大きな蛍光増大係数は、バイオマーカをホットスポットに配置させれば更にアッセイの検出感度を有意に上昇させ得ることを示しているかもしれない。
【０１８９】
材料と方法ＩＩ
前立腺特異的抗原の超高感度検出
ナノセンサ（Ｄ２ＰＡプレートとも称する）上でのＰＳＡイムノアッセイの調製。Ｄ２ＰＡイムノアッセイプレートを、２種の構成要素で作製する：（１）前述のＤ２ＰＡプラズモンナノ構造、および（２）ジチオビススクシンイミジルウンデカノアート（ＤＳＵ）の上部にプロテインＡ層がある混合自己集合層。ＤＳＵ分子は、金に強力に結合するスルフィドの一方の端部とプロテインＡのアミン基に良好に結合するＮ−ヒドロキシスクシンイミド（ＮＨＳ）エステル基のもう一方の端部とを提供することにより、金表面へのプロテインＡの強力な架橋を提供する。これらの分子層（プロテインＡおよびＤＳＵ）は、２つの機能を有する：（１）合計６．５ｎｍの厚さにより、分子層は金属の蛍光クエンチング作用を抑制し得るスペーサ層として働くこと、および（２）抗体はＦｃ領域を介してプロテインＡに結合するため、Ｄ２ＰＡ上の分子層は抗体の配向および固定化の性能を向上させて、抗体の捕捉効率を更に改善し得ること。
【０１９０】
Ｄ２ＰＡ上にＤＳＵ  ＳＡＭおよびプロテインＡをコーティングするために、新たに作製したＤ２ＰＡ基板を最初に５ｍｍ×５ｍｍの断片に切断して、１，４−ジオキサン（Ｓｉｇｍａ−Ａｌｄｒｉｃｈ）中の０．５ｍＭ  ＤＳＵ（同仁化学研究所、日本）の溶液に浸漬し、密閉容器内で室温で一晩インキュベートした。インキュベーション後、Ｄ２ＰＡ基板を１，４−ジオキサンで十分にすすぎ、アルゴンガスで乾燥させた。直ちに、これらのＤＳＵコーティングＤ２ＰＡ基板を、標準の９６ウェルプレート（Ｐｉｅｒｃｅ，ＵＳＡ）の別個のウェルに入れた。その後、それらをリン酸緩衝生理食塩水（ＰＢＳ）緩衝溶液（ｐＨ＝７．２、Ｓｉｇｍａ−Ａｌｄｒｉｃｈ）中の１０μｇ／ｍＬプロテインＡ（Ｒｏｃｋｌａｎｄ  Ｉｍｍｕｎｏｃｈｅｍｉｃａｌｓ）１００μＬに浸漬して、密閉条件下、４℃の冷蔵庫で一晩インキュベートした。その溶液はその後吸引して、各個々のＤ２ＰＡプレートを洗浄液（Ｒ＆Ｄ  ｓｙｓｔｅｍｓ）中でそれぞれ１５分間ずつ３回洗浄し、未結合のプロテインＡを除去した。その後、プレートを脱イオン水の一定の流れの中で穏やかにすすぎ、任意の塩物質を除去した。アルゴンガスで乾燥させた後、Ｄ２ＰＡイムノアッセイプレートは直ちにイムノアッセイ試験を行うか、または後の使用のために−２０℃で貯蔵した。
【０１９１】
研究および臨床診断の両方で広く用いられているＰＳＡの蛍光利用サンドイッチアッセイを、Ｄ２ＰＡイムノアッセイプレートで実施した。最初に、１８０μｇ／ｍＬの濃度の捕捉抗体（マウス抗ヒトカリクレイン３）溶液１００μＬにＤ２ＰＡイムノアッセイプレートを浸漬し室温で２時間インキュベートすることにより、捕捉抗体を固定した。その後、溶液を吸引し、プレートを洗浄緩衝液で洗浄して、ブロッキング溶液（Ｒ＆Ｄ  ｓｙｓｔｅｍｓ）１００μＬに浸漬することにより各個々のプレートをブロッキングして、室温で１時間インキュベートした。その後、同じ吸引／洗浄工程の後、各ウェルのＤ２ＰＡプレートを、希釈係数１０で１０ａＭ〜１０ｐＭの濃度のＰＢＳ溶液中ＰＳＡ（Ｒ＆Ｄ  ｓｙｓｔｅｍｓ）１００μＬに浸漬した。その後、それらを室温で２時間インキュベートした。もう一度洗浄した後、２００ｎｇ／ｍＬの濃度の検出抗体（ヤギ抗ヒトカリクレイン３）１００μＬを各個々のプレートに添加して、室温で１時間インキュベートした。その後、吸引／洗浄工程を再度繰り返して、５０ｎｇ／ｍＬ濃度の希釈ＩＲＤｙｅ８００ＣＷ標識ストレプトアビジン（Ｒｏｃｋｌａｎｄ  Ｉｍｍｕｎｏｃｈｅｍｉｃａｌｓ）５０μＬを各Ｄ２ＰＡプレートに添加して、室温で１時間インキュベートした。最後の洗浄の後、Ｄ２ＰＡプレートを脱イオン水で穏やかにすすいで、アルゴンガスで乾燥させた。イムノアッセイ物質を発色させた後、直ちにプレートを光学測定した。
【０１９２】
Ｄ２ＰＡイムノアッセイプレートの蛍光増大および感度改善と比較するために、本発明者らは、参照としてプロテインＡでコーティングされた単純で平坦なガラスプレートを用いた。同一のサンドイッチＰＳＡイムノアッセイを、参照上に同じバッチの試薬を用いて調製し、同じ手法で処理した。
【０１９３】
光学測定。Ｄ２ＰＡプレートおよび参照プレートでの蛍光利用ＰＳＡイムノアッセイを、市販のレーザ走査型共焦点分光計（ＡＲＡＭＩＳ，  Ｈｏｒｉｂａ  Ｊｏｂｉｎ  Ｙｖｏｎ）を用いて、両者とも７８５ｎｍレーザ励起で測定した。励起光および蛍光シグナルは、正常角（ｎｏｒｍａｌ  ａｎｇｌｅ）で試料表面上で測定した。該システムは、励起レーザ光線を集束するために、また発生した蛍光を集めるために同じ顕微鏡レンズを使用する。レーザ光線は、レーザスポットサイズ（回折限界焦点）から１００μｍ×１００μｍまで変動し得る「レーザスキャンエリア」と称されるエリアにわたり励起を均質化する急速なラスタスキャニング（走査型ガルボミラーシステムによる）であった。ｘ−ｙステージを利用したレーザスキャンエリアのステップ・アンド・リピートにより、試料エリアの２０ｍｍ×２０ｍｍまで自動測定ができる。試料からの蛍光シグナルを、スペクトル測定のために回折格子とＣＣＤとからなる分光計に連結した。この報告では、本発明者らは、１０倍対象物（開口数（Ｎ．Ａ．）＝０．２５）、および１００μｍ×１００μｍレーザスキャンエリアを使用し、５ｍｍ×５ｍｍ  Ｄ２ＰＡイムノアッセイプレート表面全体にわたり測定した。
【０１９４】
結果ＩＩ
大きなエリアにわたる１，７００倍を超える巨大な蛍光増大と良好な均一性（±１０％偏差）。
図１３は、Ｄ２ＰＡプレートおよびガラスプレート参照で測定されたＰＳＡイムノアッセイの典型的な蛍光スペクトルを示す。いずれのスペクトルも１０ｐＭ  ＰＳＡ濃度でのアッセイで得た。レーザ出力および検出積分時間は、Ｄ２ＰＡでは３μＷおよび１０秒であり、参照ガラスプレートでは２１２μＷおよび８秒であった。本発明者らは、良好なシグナル対雑音比（ＳＮＲ）でスペクトルを得るために、参照ガラスプレートでの測定でより大きなレーザ励起出力を使用しなければならなかった。先の測定で用いられたレーザ励起出力密度および励起時間では、飽和および顕著なブリーチングのいずれも観察されず、このことは正確な増大係数測定に肝要である。実際に、蛍光シグナル強度は、レーザ焦点スポットのラスタスキャニングにより長時間にわたり一定しており、本発明者らの実験ではブリーチング効果がこのように最小限に抑えられた。
【０１９５】
本明細書で推定された増大係数は、より高い濃度でも保持された。上記アプローチを用いて、１０ｐＭ  ＰＳＡでのＤ２ＰＡプレートで測定された平均蛍光増大は、蛍光ピーク強度を比較すると、ガラス参照プレートの１７００倍であった。
【０１９６】
１０ａＭの検出感度および広いダイナミックレンジ。巨大な蛍光増大がどのようにしてイムノアッセイの感度、即ちＬｏＤおよびダイナミックレンジを改善するかを実証するために、Ｄ２ＰＡおよび参照ガラスプレートでの１０ａＭ〜１０ｐＭ（系列希釈係数１０）のＰＳＡ濃度のＰＳＡイムノアッセイ蛍光シグナル応答を測定した。広く受け入れられている標準を利用して決定されたＬｏＤは、バックグランド光学ノイズ＋その標準偏差（即ち、平均平方根偏差）の三倍に等しい蛍光シグナルに対応するＰＳＡ濃度である。ＰＳＡイムノアッセイでは、バックグランド光学ノイズは、ＰＳＡ溶液を純粋なＰＢＳ緩衝溶液（即ち、ＰＳＡを含まない）に置き換えて調製プロトコルの他のステップは同じままのアッセイで、厳密に同じ光学測定を実施することにより得られた。
【０１９７】
図１３は、Ｄ２ＰＡおよび参照ガラスプレートの蛍光イムノアッセイシグナルを、対数スケールでのＰＳＡ濃度の関数（即ち、応答曲線）として示す。エラーバーは、５回の反復測定（同一イムノアッセイおよび同じＰＳＡ濃度で異なる試料プレート）から計算された標準偏差である。５パラメータのロジスティック回帰関数を用いてフィッティング曲線を作成し、測定されたＰＳＡ濃度の間のデータポイントを外挿した。その後、Ｄ２ＰＡプレートでのイムノアッセイのＬｏＤが１０ａＭ（０．３ｆｇ／ｍＬ）であり、ダイナミックレンジが６桁を超える（１ｆＭ〜１μＭ）と決定した。参照ガラスプレートにおいて実施した同一のイムノアッセイで、ＬｏＤが０．９ｐＭ（２７ｐｇ／ｍＬ）であることも見出された。それゆえＤ２ＰＡイムノアッセイプレートの検出感度は、ガラスプレートに比較して、９０，０００倍増大した。更に、本発明者らがこの実施例で報告した検出感度は、競合技術を用いた過去の報告よりも少なくとも３０倍良好である。
【０１９８】
乳癌バイオマーカＣＥＡおよびＣＡ１５．３の超高感度検出
先に記載されたナノセンサでは、（ａ）癌胎児性抗原（ＣＥＡ）（図１４参照）およびＣＡ１５．３（乳癌バイオマーカ）（図１５参照）のＬｏＤはそれぞれ２８ａＭ（約０．８ｆｇ／ｍＬ）および０．００１Ｕ／ｍＬであり、市販のＥＬＩＳＡキット（ＣＥＡ：Ｒ＆Ｄ  ｓｙｓｔｅｍｓおよびＣＡ１５．３：Ａｂｃａｍ）よりも３〜５桁良好であり、臨床カットオフレベル（血漿中のＣＥＡで４ｎｇ／ｍＬおよびＣＡ１５．３で２５Ｕ／ｍＬ）よりも５〜６桁感度が高いことが示された。（ｂ）新規アッセイは両者とも、８桁のダイナミックレンジで直線性を有する。
【０１９９】
Ｄ２ＰＡプレートでの改良三層サンドイッチＣＥＡアッセイにおいて、本発明者らは、従来のプレートリーダを用いた場合に（エリア平均蛍光強度）、緩衝液中で２８ａＭ（約０．８ｆｇ／ｍＬ）のＬｏＤおよび８桁のダイナミックレンジをそれぞれ実現した（図１４）。新規アッセイでのＬｏＤは、標準のガラスプレートで実施された同一アッセイよりも１７０，０００倍良好であり、現在最良のＣＥＡイムノアッセイ（例えば、ランダムゴールドアイランド）よりも２０倍高感度であり、かつ血漿中の典型的なＣＥＡレベル（４ｎｇ／ｍＬ）よりも５〜６桁高感度である。
【０２００】
ＣＡ１５．３のイムノアッセイにおいて、本発明者らは、０．００１Ｕ／ｍＬ（単位／ｍＬ、１単位は保持された参照抗原調製物に関する任意の値である。Ｕ／ｍＬからモル濃度への変換は利用できない）のＬｏＤ、および血漿中の典型的なＣＡ１５．３レベル（２５Ｕ／ｍＬ）よりも４〜５桁高感度を実現した。
【０２０１】
アルツハイマー病バイオマーカβアミロイド１−４０および１−４２の超高感度検出
新規アッセイで、（ａ）緩衝液中β−アミロイド（Ａβ）のＬｏＤがＡβ４２では２．３ｆＭ（１０．３ｆｇ／ｍＬ）およびＡβ４０では０．２ｆＭ（０．９ｆｇ／ｍＬ）、（ｂ）８桁を超えるダイナミックレンジの直線性、（ｃ）血清および唾液の添加回収評価でそれぞれ８８％および１０６．８％の回収率、（ｄ）Ａβ４２（１ｐｇ／ＭＬ  Ａβ濃度）に対するＡβ４０の０．０６％交叉反応性、ならびに（ｅ）血液および唾液の両方で一定して再現性のあるＡβ４２検出、を実証した。図１６および１７を参照されたい。
【０２０２】
Ａβ−４２検出において、通常の９６ウェルプレートの底を新規アッセイプレートに置き換え、市販の「Ａβ−４２および４０ＥＬＩＳＡキット」（Ｃｏｖａｎｃｅ、米国）に変更を加え、市販のストレプトアビジン結合蛍光（ＩＲＤｙｅ８００ＣＷ）標識（Ｒｏｃｋｌａｎｄ、米国所在）をビオチン−アビジン反応（本発明者のアッセイでは酵素は用いていない）によりＣｏｖａｎｃｅのビオチン化検出抗体（検出剤）に結合させるのみにした。その後、キットの残りの成分はそのまま使用し、従来のプロトコルに従った。Ｃｏｖａｎｃｅキットの捕捉および検出剤はそれぞれ、Ａβ−４２では６Ｅ１０および抗Ａβ４２、ならびにＡβ−４０では６Ｅ１０および抗Ａβ４０である。
【０２０３】
Ａβアッセイで本発明者らが用いたのは、ジチオビス（スクシンイミジルウンデカノアート）（ＤＳＵ）およびプロテインＡの二重層である。ＤＳＵは、Ｄ２ＰＡ上の金表面に強力に結合するスルフィドの一方の端部と、プロテインＡのアミン基に良好に結合するＮ−ヒドロキシスクシンイミド（ＮＨＳ）エステル基のもう一方の端部と、を有し、プロテインＡはＦｃ領域を介して捕捉抗体に結合する。
【０２０４】
（ａ）８桁のダイナミックレンジを有する１００ｆＭ以下の検出限界（ＬｏＤ）。Ｄ２ＰＡプレートでの最初の試験において、本発明者らは、プロテインＡおよび蛍光標識ＩｇＧの二層モデルイムノアッセイを利用し、ガラスプレートに対し１００万倍（×１０６）を超えるＬｏＤ増大を実現した。図１１を参照されたい。Ｄ２ＰＡプレートでの改良三層サンドイッチＡβアッセイにおいて、本発明者らは、従来のプレートリーダを用いた場合に（エリア平均蛍光強度）、緩衝液中のＡβ４２および４０の検出について、８桁のダイナミックレンジでそれぞれ２．３ｆＭ（１０．３ｆｇ／ｍＬ）および０．２ｆＭ（０．９ｆｇ／ｍＬ）のＬｏＤを実現した。新規アッセイでのＬｏＤは、標準のガラスプレートで実施された同一アッセイよりも５，０００倍良好であり、現在最良の市販Ａβアッセイ（例えば、Ｍｅｓｏ  Ｓｃａｌｅ  Ｄｉｓｃｏｖｅｒｙ）よりも５００倍高感度であり、かつ血漿中のＡβ４２および４０の典型的なレベルよりも約４〜５桁高感度（ＣＡβ４２約５０ｐｇ／ｍＬ、ＣＡβ４０約２００ｐｇ／ｍＬ）であり、唾液中では約３〜４桁高感度（ＣＡβ４２約５ｐｇ／ｍＬ、ＣＡβ４０約２５ｐｇ／ｍＬ）である。
（ｂ）ダイナミックレンジ８桁の優れた直線性が、全ての試験で実現された（例えば、図１１参照）。
（ｃ）血清で８８％、そしてヒト唾液で１０２％という回収率が、Ｄ２ＰＡプレートでのＡβ−４２イムノアッセイについて実施された添加回収試験で実現される（例えば、図１６参照）。
（ｄ）１ｐｇ／ｍＬ  Ａβ濃度のＡβ４０に対するＡβ４２イムノアッセイの交叉反応性０．０６％、およびより高濃度のＡβでのより良好な交叉反応性が、実現された（図１７）。
（ｅ）Ｄ２ＰＡプレート上でのＡβイムノアッセイ（図１８）およびＤ２ＰＡ上での他のアッセイについて優れた平行性が実証された。実際に、本発明者らは、２つの独立した製造工程を実施して、一致した結果を得た。
【０２０５】
超高感度ＤＮＡハイブリダーゼーションアッセイ
Ｄ２ＰＡナノデバイスを用いた増大ＤＮＡハイブリダーゼーションアッセイの実施例の１つが、サンドイッチハイブリダーゼーションアッセイである。捕捉ＤＮＡは、５’末端がチオールで官能化された一本鎖ＤＮＡである（３’−ＧＡＡＧＡＡＧＡＴＡＧＡＣＴＴＡＣＡＴＧ−５’−ＳＨ）。検出ＤＮＡは、３’末端が蛍光標識、例えばＩＲＤｙｅ８００ＣＷで官能化された一本鎖ＤＮＡである（ＩＲ８００−３’−ＴＴＴＧＧＣＴＴＧＴＧＧＴＡＧＴＴＡＧＡ−５’）。捕捉ＤＮＡおよび検出ＤＮＡは両者とも、２０ｂｐ長を有する。それらは、異なる配列で合成されて、異なる領域で標的ＤＮＡへの相補的結合を形成する。標的ＤＮＡは、５’−ＡＣＣＧＡＡＣＡＣＣＡＴＣＡＡＴＣＴＣＴＴＣＴＡＴＣＴＧＡＡＴＧＴＡＣＴＴＴＴＴ−３’である。
【０２０６】
最初にＤ２ＰＡナノデバイスを１Ｍ  ＮａＣｌ濃度の１×ＴＥ緩衝液で希釈された５μＭ溶液と共にインキュベートすることにより、捕捉ＤＮＡをＤ２ＰＡナノデバイスの金属表面に固定する。その後、標的ＤＮＡをＤＮＡハイブリダーゼーション緩衝液（Ｈ７１４０，Ｓｉｇｍａ−Ａｌｄｒｉｃｈ）で希釈し、ナノデバイスに添加して、捕捉ＤＮＡとハイブリダイズさせる。ハイブリダイゼーションの温度は、３５℃の融解温度未満に制御する。最後に１００μＭの濃度の蛍光標識検出ＤＮＡをナノデバイスに添加して、固定された標的ＤＮＡとハイブリダイズさせる。ハイブリダイゼーション緩衝液および温度は、最後のステップと同じままである。未結合の検出ＤＮＡを洗い流した後、ナノデバイスの表面から発出された蛍光シグナルを、標的ＤＮＡ分子の検出および定量化のために測定する。
【０２０７】
本発明者らは、標的ＤＮＡの濃度が異なるＤＮＡハイブリダイゼーションアッセイから蛍光シグナル強度を測定した。図１９は、Ｄ２ＰＡナノデバイスで実施されたハイブリダイゼーションアッセイについての蛍光応答曲線（標準曲線）を示す。バックグランドシグナル＋バックグランドシグナルの標準偏差の３倍として計算された検出限界は、７１ｆＭである。
【図１】
0006301311.tif 000007
【図２】
0006301311.tif 000008
【図３】
0006301311.tif 000009
【図４】
0006301311.tif 000010
【図５】
0006301311.tif 000011
【図６】
0006301311.tif 000012
【図７】
0006301311.tif 000013
【図８】
0006301311.tif 000014
【図９】
0006301311.tif 000015
【図１０】
0006301311.tif 000016
【図１１】
0006301311.tif 000017
【図１２】
0006301311.tif 000018
【図１３】
0006301311.tif 000019
【図１４】
0006301311.tif 000020
【図１５】
0006301311.tif 000021
【図１６】
0006301311.tif 000022
【図１７】
0006301311.tif 000023
【図１８】
0006301311.tif 000024
【図１９】
0006301311.tif 000025
【図２０】
0006301311.tif 000026
【図２１】
0006301311.tif 000027
【配列表】
0006301311000001.app